(57)【特許請求の範囲】
【請求項１】
光学的記億媒体が収容されたカートリッジを保持するカートリッジホルダと、
前記カートリッジが対向する壁面と、前記壁面に設けられた第１の開口を有し、前記カートリッジホルダを前記壁面に対向するように上面側に搭載する上下両面実装可能なドライブベースと、
前記カートリッジホルダの下側であって前記ドライブベースの下面側に搭載され、前記光学的記憶媒体を回転駆動させるターンテーブルと、スライド部を有し、前記ターンテーブルを保持する金属板とからなるターンテーブルユニットと、
前記ドライブベースの下面側に搭載され、傾斜面を有するガイドが形成されたロード板を有するとともに、前記ロード板が前記ドライブベース上を前後に移動することで前記スライド部が前記ガイドの傾斜面をスライドして前記ターンテーブルユニットの金属板を上昇／下降させるロード・アンロード機構と、
を備えるとともに、
前記ターンテーブルが前記光学的記憶媒体を保持する際に、前記金属板を上昇させることで前記ターンテーブルが前記ドライブベースの第１の開口から前記カートリッジホルダ側へ突出し、前記ターンテーブルと前記光学的記憶媒体の係合を解除する際に、前記金属板を下降させることで前記ターンテーブルが前記ドライブベースの第１の開口から下降するように構成されてなり、
前記ドライブベースの前記ターンテーブルユニットを搭載する部分の高さは前記ターンテーブルユニットの高さと略同一の高さに設定されてなること、
を特徴とする光学的記憶装置。
【請求項２】
光学的記億媒体が収容されたカートリッジを保持するカートリッジホルダと、
前記カートリッジが対向する壁面と、前記壁面に設けられた第１の開口を有し、前記カートリッジホルダを前記壁面に対向するように上面側に搭載する上下両面実装可能なドライブベースと、
前記カートリッジホルダの下側であって前記ドライブベースの下面側に搭載され、前記光学的記憶媒体を回転駆動させるターンテーブルと、スライド部を有し、前記ターンテーブルを保持する金属板とからなるターンテーブルユニットと、
前記ドライブベースの下面側に搭載され、傾斜面を有するガイドが形成されたロード板を有するとともに、前記ロード板が前記ドライブベース上を前後に移動することで前記スライド部が前記ガイドの傾斜面をスライドして前記ターンテーブルユニットの金属板を上昇／下降させるロード・アンロード機構と、
を備えるとともに、
前記ターンテーブルが前記光学的記憶媒体を保持する際に、前記金属板を上昇させることで前記ターンテーブルが前記ドライブベースの第１の開口から前記カートリッジホルダ側へ突出し、前記ターンテーブルと前記光学的記憶媒体の係合を解除する際に、前記金属板を下降させることで前記ターンテーブルが前記ドライブベースの第１の開口から下降するように構成されてなり、
前記ドライブベースの前記ターンテーブルユニットを搭載する部分の高さは前記ターンテーブルユニットの高さ又は前記ガイドの高さのいずれか高い方の高さと略同一に設定されてなること、
を特徴とする光学的記憶装置。
【請求項３】
光学的記億媒体が収容されたカートリッジを保持するカートリッジホルダと、
前記カートリッジが対向する壁面と、前記壁面に設けられた第１の開口を有し、前記カートリッジホルダを前記壁面に対向するように上面側に搭載する上下両面実装可能なドライブベースと、
前記カートリッジホルダの下側であって前記ドライブベースの下面側に搭載され、前記光学的記憶媒体を回転駆動させるターンテーブルと、スライド部を有し、前記ターンテーブルを保持する金属板とからなるターンテーブルユニットと、
前記ドライブベースの下面側に搭載され、傾斜面を有するガイドが形成されたロード板を有するとともに、前記ロード板が前記ドライブベース上を前後に移動することで前記スライド部が前記ガイドの傾斜面をスライドして前記ターンテーブルユニットの金属板を上昇／下降させるロード・アンロード機構と、
を備えるとともに、
前記ターンテーブルが前記光学的記憶媒体を保持する際に、前記金属板を上昇させることで前記ターンテーブルが前記ドライブベースの第１の開口から前記カートリッジホルダ側へ突出し、前記ターンテーブルと前記光学的記憶媒体の係合を解除する際に、前記金属板を下降させることで前記ターンテーブルが前記ドライブベースの第１の開口から下降するように構成されてなり、
前記ドライブベースの前記ターンテーブルユニットを搭載する部分の高さは前記ターンテーブルユニットの最大移動量と略同一に設定されてなること、
を特徴とする光学的記憶装置。
【請求項４】
前記ターンテーブルユニットの前記金属板は、前記スライド部がプレス技術により一体的に形成されてなることを特徴とする請求項１乃至３いずれか一項記載の光学的記憶装置。
【請求項５】
前記金属板に、前記ターンテーブルを回転駆動させる信号線を導くフレキシブルプリント配線シートが少なくとも搭載されてなることを特徴とする請求項１乃至4いずれか一項記載の光学的記憶装置。
【請求項６】
前記フレキシブルプリント配線シートに、光ディスクカートリッジに設定されたライトプロテクトを検出するセンサ、もしくは、光ディスクカートリッジの挿入を検出するカートリッジインセンサが設けられていることを特徴とする請求項５記載の光学的記憶装置。
【請求項７】
前記ドライブベースは、前記光学的記憶媒体に対向する位置に第２の開口を有し、前記第２の開口に前記光学的記憶媒体に光ビームを集光するレンズを搭載するレンズキャリッジを配置し、
前記カートリッジホルダが搭載される部分の後方の前記ドライブベース上に、前記レンズキャリッジに光ビームを導くための固定光学部品や前記光学的記憶媒体からの反射光を光検出器に導くための固定光学部品を直接固定配置してなることを特徴とする請求項１乃至6いずれか一項記載の光学的記憶装置。
【発明の詳細な説明】
【０００１】
【発明の属する技術分野】
本発明は、一般的に光学的記憶装置に関し、特に光学的記憶装置を小型で、かつ軽量にするための装置全体構造に関する。
【０００２】
【従来の技術】
光ディスクは近年急速に発展するマルチメディア化の中で中核となる記憶媒体として脚光を浴びており、通常携帯可能にカートリッジの中に収容されている。
【０００３】
そして、光ディスクカートリッジが光ディスク装置内にローディングされ、光学ヘッドで光ディスクに対する情報のアクセスが行われる。
【０００４】
【発明が解決しようとする課題】
現在、光ディスク装置はＳＣＳＩインターフエースを介してコンピュータに外付けされた状態で使用されている。また、外装ロッカから取り出した３．５インチ光磁気ディスク装置ユニットの外形寸法は、１インチハイト型で、約２５．４（高さ）×１０１．６（幅）×１５０（奥行き）ｍｍ（±０．５ｍｍ程度の精度誤差が加味される）であり、その重量は約４７０ｇである。また、外装ロッカに収容された状態の外形寸法は、３６（高さ）×１３２（幅）×２０８（奥行き）ｍｍである。
【０００５】
従って、ディスクトップ型のパソコンにしか適用できず、現在急速に普及しつつある携帯型パソコンに内蔵して持ち運ぶことは、サイズ的にも重量的にも困難であった。
【０００６】
そこで、ユーザの使い勝手を向上させる為に、光ディスク装置を携帯用パソコンの内部に搭載し、使用環境を向上させることが切望されており、小型化・軽量化の為の技術開発が急テンポで進められている。
【０００７】
従って、本発明の目的は、データ記憶装置としての信頼性耐久性を確保し、さらに向上させるとともに、小型で、かつ軽量でしかも安価な光学的記憶装置を提供することにある。また、本発明の目的は、高さ約２４ｍｍ以下、総重量３００ｇ以下の光磁気ディスク装置、相変化型光ディスク装置等の光学的記憶装置を提供し、携帯型パソコンの主要部寸法及び総重量を設計変更せずに携帯型パソコンに該光学的記憶装置を搭載可能にすることにある。
【０００８】
さらに、本発明の目的は、約１７ｍｍ厚のフロッピィディスク装置とほぼ同一サイズとし、パソコン等に既存のフロッピィディスクユニット（スロット）に挿入可能に構成した光学的記憶装置を提供することにある。また、本発明の目的は、光学的記憶装置の上位装置との接続性を向上させて汎用性を向上させることにある。
【０００９】
【課題を解決するための手段】
本発明は、上述した目的を達成するために、
光学的記憶装置において、光学的記憶媒体に対してアクセスする為の少なくとも１つの機構が配置されるドライブベースと、ドライブベースの面に形成されたブロックとを備えてなり、ドライブベースの端部に、光を発光する発光素子と前記光学的記憶媒体からの戻り光を検出する光検出器が取り付けられ、前記ブロックの面に、光を導くための光学部品の少なくとも一部が接触し前記光学部品が位置決めされて配置されてなることを特徴とする。
【００１０】
従って、ブロックを設けて光学部品を接触させ取り付け面精度を向上させることにより、光学部品をドライブベースに直接配置することが可能になる。また、特開平７−２１０８７８号公報に記載されているように、従来のドライブベースと別体に設けられていた固定光学ヘッドベースを無くすことができ、固定光学ユニットを光学部品のサイズぎりぎりのサイズにすることができ、装置の薄型化を図ることが可能になり、かつ部品点数を減らして軽量化を図ることも可能になる。
【００１１】
また、高さがかさばる他の部品が配置されないドライブベースの端部を利用して、高さがかさばる発光素子や光検出器を配置することで、ドライブベースの薄型化して、装置の薄型化を図ることが可能になる。
【００１２】
光学的記憶装置において、光学的記億媒体を収容するカートリッジが挿入されるカートリッジホルダと、カートリッジホルダが搭載され、カートリッジが収容される部分の外側でカートリッジホルダ搭載面に向けて凹んでなるドライブベースと、ドライブベースの凹みの内壁に形成されたブロックとを備えてなり、ドライブベースの凹みの外周部に、光を発光する発光素子と光学的記憶媒体からの戻り光を検出する光検出器が取り付けられ、ドライブベースの凹みの内部に、光を導くための光学部品の少なくとも一部が前記ブロックの面に接触して光学部品が位置決めされて配置されてなることを特徴とする。
【００１３】
従って、固定光学ヘッドベース（固定光学ユニット）となる凹みをカートリッジの収容空間の外側のドライブベースに設けることで、カートリッジの厚さとほぼ等しいドライブベースの高さを実現でき、固定光学ユニットの高さをドライブベースの高さの範囲内で収めることができ、装置を薄型化及び小型化することが可能になる。
【００１４】
また、特開平７−２１０８７８号公報に記載されているように、従来のドライブベースと別体に設けられていた固定光学ヘッドベースを無くすことができ、固定光学ユニットを光学部品のサイズぎりぎりのサイズにすることができ、装置の薄型化及び小型化を図ることが可能になり、かつ部品点数を減らして軽量化を図ることも可能になる。
【００１５】
さらに、ブロックを設けて光学部品の取り付け面精度を向上させることにより、光学部品をドライブベースに直接配置することが可能になる。
【００１６】
さらに、カートリッジホルダ収容部の外側の、高さがかさばる他の部品が配置されない凹みの外周部を利用して、発光素子や光検出器を設けることで、凹みの高さに依存せずに、発光素子や光検出器を凹みの下面側に突出させることができ、かつ凹みは最小限に薄型化及び小型化して、装置の薄型化及び小型化を図ることが可能になる。
【００１７】
ドライブベースの凹みの上面に光を遮蔽する遮蔽カバーを設けたことを特徴とする。
【００１８】
従って、固定光学ユニット内外の光を遮断するとともに密閉して、塵埃の流入を防止し、塵埃に弱い光学部品を保護することが可能になる。
【００１９】
光学的記憶装置において、光学的記億媒体を収容するカートリッジが挿入されるカートリッジホルダが配置されるカートリッジホルダ収容部と、光学的記憶媒体を回転駆動させるターンテーブルをカートリッジホルダ側に突出させる第１の開口部を有し、カートリッジホルダ収容部に対向する上面側でターンテーブルを保持するターンテーブルユニットが配置されるターンテーブルユニット収容部と、光学的記憶媒体の半径方向に形成された第２の開口部を有し、第２の開口部内で対物レンズを移動させる移動光学ユニットが配置される移動光学ユニット収容部と、発光素子からの光をドライブベース内部に導く通路となる第１のスリットと、ドライブベース外部の光検出器に光を導く通路となる第２のスリットと、発光素子と対物レンズとの間及び対物レンズと光検出器との間の光を導く通路となる第３のスリットと、光を導くための光学部品を接触させ、光学部品の位置精度を出すための面を有するブロックとが形成されたドライブベースを備えてなることを特徴とする。
【００２０】
従って、光路となる部分にスリットを設けるとともに、光学部品を配置する部分に位置精度を出すためのブロックを設けることで、ドライブベースに固定光学ヘッドベースを形成することを可能にし、高精度な光学部品の配置を実現し、直接光学部品をドライブベースに配置することが可能になる。
【００２１】
ゆえに、ドライブベースを最小限に薄型化及び小型化して、装置の薄型化及び小型化を図ることを可能にする。
【００２２】
光学的記憶装置において、光学的記憶媒体を回転駆動するターンテーブルを保持するターンテーブルユニットが少なくとも搭載される基準面を有し、前記基準面から他方の面に向けて突出して形成された凹みを有するドライブベースを備え、凹みに偏平形状の箱形ユニットで構成されたモータが配置されてなることを特徴とする。
【００２３】
従って、モータの収容空間をドライブベースを凹ませて確保することで、ドライブベースの基準面により上面側にイジェクトモータ分の高さを過分に必要とせず、ドライブベースの基準面の下面側の空きスペースを利用することが可能になり、ドライブベースの薄型化及び小型化が可能になる。さらに、偏平形状の箱形ユニットで構成されたモータを採用することで、ドライブベースの薄型化及び小型化を図り、装置の薄型化及び小型化を可能にする。
【００２４】
光学的記憶装置において、光学的記億媒体を収容するカートリッジが挿入されるカートリッジホルダと、カートリッジを排出させる駆動を行なうイジェクトモータと、カートリッジホルダが搭載され、カートリッジが収容される部分の外側でカートリッジホルダ搭載面側に突出して凹んでなる第１の収容部と第２の収容部を有するドライブベースと、第１の収容部の内壁の一部に形成されたブロックと、第１の収容部の外周部に、光を発光する発光素子と記憶媒体からの戻り光を検出する光検出器が取り付けられ、第１の収容部の内部に、光を導くための光学部品の少なくとも一部がブロックの面に接触して光学部品が位置決めされて配置されてなる固定光学ユニットと、第２の収容部にイジェクトモータが配置されてなるイジェクトモータユニットとを備えてなることを特徴とする。
【００２５】
従って、固定光学ユニット及びイジェクトモータの収容空間をドライブベースを凹ませて確保し、カートリッジの収容空間（カートリッジホルダの収容部）の外側のドライブベースに設けることで、固定光学ユニット及びイジェクトモータ分の高さをドライブベースの上面側に確保する必要がなく、ドライブベースの高さの範囲内で収めることが可能になり、カートリッジホルダの上面側のドライブベースの高さを薄型化を図ることが可能になる。
【００２６】
イジェクトモータは偏平形状の箱形ユニットで構成されてなることを特徴とする。
【００２７】
さらに、偏平形状の箱形ユニットで構成されたイジェクトモータを採用することで、ドライブベースの薄型化を図り、装置の薄型化及び小型化を可能にする。
【００２８】
光学的記憶装置において、対物レンズが搭載され、対物レンズを光学的記憶媒体の半径方向に移動させる移動光学ユニットと、移動光学ユニットの移動方向に対して直角方向に発光が行なわれるように配置された発光素子と、発光素子からの光を屈折させて移動光学ユニットに導き、光学的記憶媒体からの戻り光を屈折させて前記直角方向に導く第１の光学部品と、光学的記憶媒体からの戻り光を再生信号成分とサーボ信号成分に分離して導く第２の光学部品と、再生信号成分の光を受光して再生信号を検出する第１の光検出器と、サーボ信号成分の光を受光してサーボ信号を検出する第２の光検出器とを少なくとも有する固定光学ユニットと、を備えてなることを特徴とする。
【００２９】
従って、以上のような固定光学ユニットの配置をとることにより光路を最短距離に短縮することができ、光学部品を簡略化及び小型化して、固定光学ユニットの光学部品の収容容積を小型化することで装置の薄型化及び小型化が可能になる。
【００３０】
固定光学ユニットは、光学的記憶媒体のカートリッジが収容される部分の外側のドライブベースがカートリッジ収容部の面側に突出して凹んでなるヘッドベースを設け、凹みの外周部に前記発光素子、前記第１の光検出器と前記第２の光検出器が直接配置され、凹みの内部に前記第１の光学部品、前記第２の光学部品が少なくとも直接配置されてなることを特徴とする。
【００３１】
従って、固定光学ユニットをカートリッジ収容部の外側で、かつカートリッジ収容部の面側の空きスペースを利用して凹みを形成し、光学部品をドライブベースに直接配置することで、ドライブベースのカートリッジ収容部の上面側を薄型化することができ、装置の薄型化及び小型化を図ることが可能になる。
【００３２】
さらに、サーボ信号成分をさらに複数の信号成分に分離するサーボユニットを備え、第２の光検出器は前記複数の信号成分からフォーカス信号とトラック信号を検出することを特徴とする。
【００３３】
従って、サーボユニットを使用することで複数の光検出器を使用することなく、２つの信号を取り出すことが可能になり、光学部品の簡略化及び小型化が可能になり、かつ光路を短縮できるとともに、固定光学ユニットの光学部品の収納容積を小型化でき、装置の薄型化及び小型化を図ることが可能になる。
【００３４】
光学的記憶装置において、光学的記憶媒体を回転駆動させるターンテーブルと、ターンテーブルを搭載する金属板とを有するターンテーブルユニットを備えてなることを特徴とする。
【００３５】
従って、ターンテーブルを保持する部材の厚さを極力薄型化し、ターンテーブルユニットの全体の高さをターンテーブルのみの高さに近づけることで、ドライブベースのターンテーブルユニット収納部の高さを薄型化することを可能にし、装置の小型化及び薄型化を図ることができる。さらに、ターンテーブルを簡単な加工で金属板に保持させることができ、部品点数を工数を削減してコストダウンを図ることが可能になる。
（請求項１）
光学的記憶装置において、光学的記億媒体が収容されたカートリッジを保持するカートリッジホルダと、カートリッジが対向する壁面と、壁面に設けられた第１の開口を有し、カートリッジホルダを壁面に対向するように上面側に搭載する上下両面実装可能なドライブベースと、カートリッジホルダの下側であってドライブベースの下面側に搭載され、光学的記憶媒体を回転駆動させるターンテーブルと、スライド部を有し、ターンテーブルを保持する金属板とからなるターンテーブルユニットと、ドライブベースの下面側に搭載され、傾斜面を有するガイドが形成されたロード板を有するとともに、ロード板がドライブベース上を前後に移動することでスライド部がガイドの傾斜面をスライドしてターンテーブルユニットの金属板を上昇／下降させるロード・アンロード機構と、を備えるとともに、  ターンテーブルが光学的記憶媒体を保持する際に、金属板を上昇させることでターンテーブルがドライブベースの第１の開口からカートリッジホルダ側へ突出し、ターンテーブルと光学的記憶媒体の係合を解除する際に、金属板を下降させることでターンテーブルがドライブベースの第１の開口から下降するように構成されてなり、ドライブベースのターンテーブルユニットを搭載する部分の高さはターンテーブルユニットの高さと略同一の高さに設定されてなることを特徴とする。（請求項２）
光学的記憶装置において、光学的記億媒体が収容されたカートリッジを保持するカートリッジホルダと、  カートリッジが対向する壁面と、壁面に設けられた第１の開口を有し、カートリッジホルダを壁面に対向するように上面側に搭載する上下両面実装可能なドライブベースと、カートリッジホルダの下側であってドライブベースの下面側に搭載され、光学的記憶媒体を回転駆動させるターンテーブルと、スライド部を有し、ターンテーブルを保持する金属板とからなるターンテーブルユニットと、ドライブベースの下面側に搭載され、傾斜面を有するガイドが形成されたロード板を有するとともに、ロード板がドライブベース上を前後に移動することでスライド部がガイドの傾斜面をスライドしてターンテーブルユニットの金属板を上昇／下降させるロード・アンロード機構と、を備えるとともに、ターンテーブルが光学的記憶媒体を保持する際に、金属板を上昇させることでターンテーブルがドライブベースの第１の開口からカートリッジホルダ側へ突出し、ターンテーブルと光学的記憶媒体の係合を解除する際に、金属板を下降させることでターンテーブルがドライブベースの第１の開口から下降するように構成されてなり、ドライブベースのターンテーブルユニットを搭載する部分の高さはターンテーブルユニットの高さ又はガイドの高さのいずれか高い方の高さと略同一に設定されてなることを特徴とする。
（請求項３）
光学的記憶装置において、光学的記億媒体が収容されたカートリッジを保持するカートリッジホルダと、  カートリッジが対向する壁面と、壁面に設けられた第１の開口を有し、カートリッジホルダを壁面に対向するように上面側に搭載する上下両面実装可能なドライブベースと、カートリッジホルダの下側であってドライブベースの下面側に搭載され、光学的記憶媒体を回転駆動させるターンテーブルと、スライド部を有し、ターンテーブルを保持する金属板とからなるターンテーブルユニットと、ドライブベースの下面側に搭載され、傾斜面を有するガイドが形成されたロード板を有するとともに、ロード板が前記ドライブベース上を前後に移動することでスライド部がガイドの傾斜面をスライドしてターンテーブルユニットの金属板を上昇／下降させるロード・アンロード機構と、を備えるとともに、ターンテーブルが光学的記憶媒体を保持する際に、金属板を上昇させることでターンテーブルがドライブベースの第１の開口からカートリッジホルダ側へ突出し、ターンテーブルと光学的記憶媒体の係合を解除する際に、金属板を下降させることでターンテーブルがドライブベースの第１の開口から下降するように構成されてなり、ドライブベースのターンテーブルユニットを搭載する部分の高さはターンテーブルユニットの最大移動量と略同一に設定されてなることを特徴とする。
【００３６】
従って、カートリッジホルダ収容部の上面側のドライブベースの高さをターンテーブルユニットのロード／アンロードの為の機構の高さのみに押さえることができ、装置の前面を極力薄型化することができ、装置の高さをカートリッジの厚さに極力近づけることが可能になる。ゆえに、上位システムの約１７ｍｍ高さのユニットに挿入して内蔵型光学的記憶装置として使用することが可能になる。
【００３７】
また、ターンテーブルを保持する部材の厚さを極力薄型化し、ターンテーブルユニットの全体の高さをターンテーブルのみの高さに近づけることで、ターンテーブルユニットの全体の上昇量を抑えて、ドライブベースのターンテーブルユニット収納部の高さを薄型化することを可能にし、装置の小型化及び薄型化を図ることができる。
（請求項４）
ターンテーブルユニットの金属板は、スライド部がプレス技術により一体的に形成されてなることを特徴とする。
【００３８】
従って、スライド部を保持するための複雑な保持部材を必要とすることなく、装置厚さ方向を極力薄型化することができるとともに、小型化及び軽量化することができる。また、ターンテーブルユニット上昇量の軽減及びターンテーブルユニットが保持する部材の重さを極力軽量化を図ることでロード・アンロード機構の駆動トルク（イジェクトモータの駆動トルク）の軽減を図ることが可能になる。さらに、複雑な形状をプレス技術を用いることで単純に成形することができ、部品点数及び工数を削減してコストダウンを図ることが可能になる。
（請求項５）
金属板に、ターンテーブルを回転駆動させる信号線を導くフレキシブルプリント配線シートが少なくとも搭載されてなることを特徴とする。
（請求項６）
前記フレキシブルプリント配線シートに、光ディスクカートリッジに設定されたライトプロテクトを検出するセンサ、もしくは、光ディスクカートリッジの挿入を検出するカートリッジインセンサが設けられていることを特徴とする。
（請求項７）
さらに、ドライブベースは、光学的記憶媒体に対向する位置に第２の開口を有し、第２の開口に光学的記憶媒体に光ビームを集光するレンズを搭載するレンズキャリッジを配置し、カートリッジホルダが搭載される部分の後方のドライブベース上に、レンズキャリッジに光ビームを導くための固定光学部品や光学的記憶媒体からの反射光を光検出器に導くための固定光学部品を直接固定配置してなることを特徴とする。
【００３９】
従って、ターンテーブルユニットが保持する部材の厚さを極力薄型化し、ターンテーブルユニットの全体の高さをターンテーブルのみの高さに近づけることで、ターンテーブルユニットの全体の上昇量を抑えて、ドライブベースのターンテーブルユニット収納部を薄型化でき、装置の薄型化を図ることができる。また、ターンテーブルユニット上昇量の軽減及びターンテーブルユニットが保持する部材の重さを極力軽量化を図ることでロード・アンロード機構の駆動トルク（イジェクトモータの駆動トルク）の軽減を図ることが可能になる。
【００４０】
ロード板上に設けられ、ロード・アンロード機構に連動して回転し、カートリッジが挿入されていない場合に、対物レンズを搭載するレンズキャリッジが移動しないようにロックし、前記カートリッジが挿入されている場合に、レンズキャリッジが移動可能にロックを解除するロック機構をさらに備えてなることを特徴とする。
【００４１】
従って、カートリッジが挿入されていない場合、つまり、装置未使用時に、レンズキャリッジが重力や人為的な影響により移動することを防止し、装置の耐久性及び信頼性を向上させることが可能になる。
【００４２】
光学的記憶装置において、光学的記憶媒体に対してアクセスする為の少なくとも１つの機構が配置されるドライブベースと、ドライブベースの少なくとも一方の面を被覆するカバーを備え、カバーは、ドライブベースの外周縁を覆うように折り曲げられた折り曲げ部を備えてなることを特徴とする。
【００４３】
従って、装置の外周を略ラビリンス構造にすることにより、装置内への塵埃の流入を防止し、装置の耐久性及び信頼性を向上させることが可能になる。また、薄型のカバーを用いても折り曲げ部により強度を確保することができるので耐久性を向上させることが可能になる。
【００４４】
光学的記憶装置において、光学的記億媒体を収容するカートリッジが挿入されるカートリッジホルダと、カートリッジホルダが少なくとも搭載されるドライブベースと、光学的記憶媒体にアクセスする為の回路部品を搭載し、ドライブベースをカートリッジホルダを介して被覆するプリント基板とを備えてなり、プリント基板は、背の高い回路部品をカートリッジホルダの外側に対向させて配置されてなることを特徴とする。
【００４５】
従って、カートリッジ収容部分の高さを利用するようにして、カートリッジ収容部に対向する位置にプリント基板の背の高い部品を配置しないようにしたので、ドライブベースの下側をカートリッジの厚さ程度にとどめて、装置の薄型化を図ることが可能になる。
【００４６】
プリント基板は、回路部品が片面実装されてなり、実装面側がドライブベースに対向するように配置されてなることを特徴とする。
【００４７】
従って、プリント基板の表面を平坦化でき、光学的記憶装置を上位システムにスムーズに内蔵することが可能になる。
【００４８】
プリント基板は、Ｅ−ＩＤＥインタフェース用コネクタが実装されてなることを特徴とする。
【００４９】
従って、上位システムのインタフェースのコネクタへの接続性が向上でき、単純な変換機能を外装ケースに追加することで容易に上位システムに接続することが可能になる。
【００５０】
光学的記憶装置において、光学的記億媒体を収容するカートリッジが挿入されるカートリッジホルダと、カートリッジホルダに設けられ、カートリッジを装置外に排出する排出機構とを備えてなり、排出機構は、カートリッジに係合するローラー部と、ローラー部をカートリッジ排出方向に付勢するばね部とを少なくとも備え、ローラー部は金属製の回転軸と摺動性材料からなる回転部とで構成されてなることを特徴とする。
【００５１】
従って、カートリッジの誤挿入によるローラー部の破壊を防止し、装置の重量や構造を大幅に変更することなく、装置の耐久性及び信頼性を向上させることが可能になる。
【００５２】
光学的記憶装置において、カートリッジに収容された３．５インチの光学的記憶媒体にアクセスする為の機構が上下両面側に配置されるドライブベースと、ドライブベースの下面側に配置され、カートリッジが挿入されるカートリッジホルダと、カートリッジホルダに対向するドライブベースに形成された第１の開口部を介して、光学的記憶媒体を回転駆動させるターンテーブルをカートリッジホルダ側に突出させ、ドライブベースの上面側でターンテーブルを保持するターンテーブルユニットと、対物レンズを保持し、光学的記憶媒体の半径方向に形成されたドライブベースの第２の開口部内で対物レンズを移動させる移動光学ユニットと、カートリッジが収容される部分の外側のドライブベースの第１の搭載部に、光を発光する発光素子と、光学的記憶媒体からの戻り光を検出する光検出器と、光を導くための光学部品と、第１の搭載部の面に形成され、光学部品の少なくとも一部を接触させて光学部品の位置精度を出すためのブロックとを少なくとも有してなる固定光学ユニットと、カートリッジが収容される部分の外側のドライブベースの第２の搭載部に配置され、カートリッジを排出させる駆動を行なうイジェクトモータと、ドライブベースの一面側を被覆するカバーと、ドライブベースの他面側を被覆し、光学的記憶媒体に対してアクセスを行なう為の回路部品が搭載されるプリント基板とを少なくとも備えてなり、ドライブベースにカバーとプリント基板が嵌合された状態における最上面から最下面までの高さが上位システムの１７ｍｍ高さのユニットの収納高さに構成されてなることを特徴とする。
【００５３】
従って、上記の如く構成することにより、ドライブベースの実装部品を簡略化、小型化、薄型化、軽量化するとともに、ドライブベースそのもののを薄型化及び軽量化を図ることができ、光学的記憶装置全体の重量を軽量化が可能になり、装置全体を薄型化軽量化を図れ、ＩＳＯ規格の３．５インチの光磁気ディスクカートリッジ等のカートリッジ型光学的記憶媒体を処理する光学的記憶装置であっても上位システムの１７ｍｍ高さのフロッピィディスクユニット等のスロットに収納することができ、超薄型の携帯型パソコンへ内蔵して持ち運ぶことが可能になる。
【００５４】
カバーとプリント基板が嵌合された状態のドライブベースの最外周部を覆うケースと、プリント基板に設けられたインタフェース用コネクタに対向するケース内部の位置で前記インタフェース用コネクタに接続される第１のコネクタと、第１のコネクタから伝達されるインターフェース用コネクタの情報を他のインタフェース用の情報に変換する変換回路と、ケースの外部に露出するように設けられ、変換回路からの情報を外部に伝達する第２のコネクタとを備えてなることを特徴とする。
【００５５】
従って、１種類のインタフェースコネクタしかない光学的記憶装置を、上位システムのインタフェースに対応したケースに接続するだけで、多数の上位システムへの接続が容易に可能になり、１台の光学的記憶装置の汎用性を向上させることが可能になる。
【００５６】
インタフェース用コネクタは、Ｅ−ＩＤＥインタフェース用であることを特徴とする。
【００５７】
従って、多数の上位システムへの接続が容易に可能になり、１台の光学的記憶装置の汎用性を向上させることが可能になる。
【００５８】
前記他のインタフェースは、ＳＣＳＩインタフェース又はＰＣＭＣＩＡインタフェースであることを特徴とする。
【００５９】
従って、前記光学的記憶装置を用途に合わせて上位システムの選択幅を広げることが可能になり、汎用性が向上できる。また、ＳＣＳＩ用やＰＣＭＣＩＡの上位システムに接続が可能になり、普及率の高い上位システムに容易に接続が可能になる。
【００６０】
光学的記憶装置において、光学的記億媒体が収容されたカートリッジが挿入排出される扉を有するフロントベゼルと、前記扉から挿入されたカートリッジを収納されるカートリッジホルダと、光学的記憶媒体を回転駆動させるターンテーブルと、スライド部を有し、前記ターンテーブルを保持するターンテーブルユニットと、傾斜面を有するガイドを有するロード板を備え、ロード板がスライドすることで前記スライド部が前記ガイドの傾斜面をスライドして前記ターンテーブルを上昇／下降させるロード・アンロード機構と、フロントベゼルが側面に搭載され、カートリッジホルダが下面側に搭載され、カートリッジホルダの上面側に、スライド部と前記ガイドが係合するようにターンテーブルユニットとロード・アンロード機構が搭載されるドライブベースと、ロード板に設けられた立壁片と、立壁片に対向する位置の前記フロントベゼル又はドライブベースに設けられたマニュアルイジェクト孔と、マニュアルイジェクト孔を開閉自在に覆う被覆カバーとを備えてなることを特徴とする。
【００６１】
従って、装置内部への空気の流入を極力軽減することで、粉塵等の流入を防止し、装置の信頼性（データ記録再生の信頼性）を向上させることができる。
【００６２】
被覆カバーは、中心部が放射状にスリットが切られたシール部材からなることを特徴とする。
【００６３】
従って、前述した信頼性を確保しながら、簡単な加工で、装置の高さ方向や幅方向に突出させることなく、取り付けることが可能になる。
【００６４】
被覆カバーは、マニュアルイジェクト孔を塞ぐゴムと、ゴムを保持しマニュアルイジェクト孔側に付勢されるばね部材で構成されてなることを特徴とする。
【００６５】
従って、簡単な構造で被覆カバーの強度を確保することが可能になり、マニュアルイジェクトピンの挿入が繰り返されても、より確実にマニュアルイジェクト孔の被覆を行なうことが可能になり、装置の密閉性を向上させることが可能になる。ゆえに、装置の信頼性及び耐久性を向上させることも可能になる。
【００６６】
【発明の実施の形態】
〔装置の外観〕
図１は、本願発明の一実施例の光学的記憶装置の表面側外観斜視図であり、図２は、図１の背面側外観斜視図である。具体例として、３．５インチ光磁気ディスクカートリッジ用光磁気ディスク装置を示している。
【００６７】
光学的記憶装置の前方に、フロントベゼル１０が取り付けられている。そして、扉１０ｂは、光ディスクカートリッジの挿入又は排出に伴って回動自在に取り付けられており、扉が閉まる方向に図示しないばねにより付勢されている。
【００６８】
また、イジェクトボタン１０ａは、光ディスクカートリッジの排出を指示しオートイジェクトするものである。マニュアルイジェクト孔１０ｄは、電源遮断時や点検時、故障時にピン等を挿入する為のものであり、マニュアルイジェクト孔１０ｄにピン等が挿入されると、光ディスクカートリッジの装置内での係合を解除して媒体排出を行なうものである。ＬＥＤ１０ｃは、装置の動作状態を発光により示すものである。
【００６９】
ドライブベース２０は、フロントベゼル１０が装置前面に嵌め込まれ、各種ＩＣが搭載されるとともに各種ＦＰＣが接続されるプリント基板１１と、外形を整える為の枠１２と、周縁部が絞られた形状をした磁性材料からなるカバー１３がその外周を覆うように設けられている。
【００７０】
また、プリント基板１１はねじ１１ａによりドライブベース２０に連結される。さらに、カバー１３は、ねじ１４ａ、１４ｃ、１４ｆ、１４ｈが、カバー１３の孔１３ａと、防振ゴム１４ｂ、１４ｄ、１４ｅ、１４ｇ、枠１２及びドライブベース２０の一部を凹ませて形成された取り付け部の孔１３ａ’を通して締結される。
【００７１】
本実施例において、３．５インチ用光ディスク装置の装置高さは、ドライブベース２０がプリント板１１とカバー１３が嵌め込まれた筺体の高さＨとフロントベゼル１０の高さｈとにより決まる。ここでは、フロントベゼル１０の高さと筺体とがほぼ同一面になるようにし、各々約１７ｍｍとした。但し、フロントベゼル１０や枠１２はユーザの希望に応じて設けることができる為、必ずしも設ける必要はない。
【００７２】
従って、光ディスク装置の総高さを約１７ｍｍとすることで、パーソナルコンピュータ等のフロッピィディスク装置ユニットのスペースに挿入して、フロッピィディスク装置の代替メモリとして使用することが可能になる。
【００７３】
以下において、光ディスク装置の装置高さを約１７ｍｍにし小型化、軽量化する為の技術を説明する。
【００７４】
図３は、図１及び図２で示した光学的記憶装置の分解図であり、図４は、図３の背面側を示す図である。
【００７５】
図３において、光磁気ディスク装置は、大まかにプリント基板１１、カートリッジホルダ７１、ドライブベース２０、レンズキャリッジ３０、ロード板２４、ターンテーブルユニット２２２、カバー１３の７つの主要部品が順に配置されて構成される。
〔カートリッジホルダ〕
ドライブベース２０は、カートリッジホルダ７１の収容部２０ｈを有しており、カートリッジホルダ７１の表面のほとんどがドライブベース２０の厚さ方向の端面からはみ出さないようになっている。また、カートリッジホルダ７１の取り付け部７１ｂがねじ止めされるドライブベース２０のねじ孔を有する取り付け部７１ｂ’は、ドライブベース２０の一部を凹ませて設けられているので、ドライブベース２０の厚さ方向の端面から取り付け部がはみ出さないようになっている。
【００７６】
従って、ドライブベース２０の取り付け部７１ｂ’からドライブベース２０の端面までのスペースを利用して、後述するドライブベース２０の最下面のプリント基板１１の回路部品を片面実装するためのスペースを確保している。
〔ドライブベース・カバー〕
図４において、ドライブベース２０は所定の部品を搭載する為の開口２０ａ〜２０ｆが形成されている。また、ドライブベース２０には、光ビームを光ディスクの面に導いたり、光ディスクからの反射光を光検出器に導く為の光学部品が配置される固定光学ユニット４０がアルミダイキャスト成形により一体的に形成されている。（尚、図４では固定光学ユニット４０内のレンズ等は簡略化の為に省略してある。）そして、固定光学ユニット４０の上に防塵対策及び遮光対策の為のカバー４０ａが載せられる。
【００７７】
また、ステンレス鋼等の強磁性材料からなるカバー１３を設けることで薄型化に伴う磁束漏れを防止する。また、システム的に構築した際に、外部磁束に弱くリード／ライト不良に陥りやすいフロッピディスク装置ユニットやハードディスク装置ユニットを上下方向に重ねて使用した場合に影響を与えることはない。
【００７８】
また、従来はカバーの内側の外縁に防塵対策の為にパッキンを設けていたが、本実施例において全周にわたって曲げ絞りされた折り曲げ部１３ｂを有するカバー１３を使用することで、ドライブベース２０の外周縁を覆って略ラビリンス構造とし空気の流入を遮断し塵埃の装置内部への進入を防止するとともに、カバー１３の強度を向上させる効果がある。
【００７９】
さらに、カバー１３を取り付けるための取り付け部がドライブベース２０の一部を凹ませて形成されているので、取り付け部のネジがカバー１３の最上面（装置の最上面）を突出することがないので、薄型化を可能にしている。
〔レンズキャリッジ〕
対物レンズＬを保持するとともに光ディスクの半径方向に移動させる為のレンズキャリッジ３０は、その端部のコイル部３２にコイルが埋め込まれた状態で熱溶融性樹脂等の材料により一体的に成形されている。そして、上ヨークの裏側にマグネットを取り付け、コイル部３２が移動可能にコイル部３２ａ、３２ｂの中央開口に下ヨークを貫通させた後、上ヨーク及び下ヨークの端部がねじ止めされ、磁気回路３３ａ、３３ｂが形成される。
〔ターンテーブルユニット〕
ターンテーブルユニット２２２は、絶縁性のある亜鉛メッキ鋼板等からなる板金上２１に取り付けられ、板金２１の左右両側にスライドピン２３ａ及び２３ｂを有している。そして、径２１ｍｍのターンテーブル２２はドライブベース２０の開口２０ａからカートリッジホルダ７１側へ向かって突出する。
【００８０】
従って、カートリッジホルダ７１に光ディスクカートリッジが挿入されると、光ディスクのハブがターンテーブル２２の表面に設けられた磁性体により吸引されて光ディスクを保持できるように構成されている。
【００８１】
そして、ターンテーブル２２は所定の回転数で回転させるスピンドルモータに連結される。
〔イジェクトモータ〕
さらに、ドライブベース２０のイジェクトモータ収容部５５に、光ディスクカートリッジを排出する為のイジェクトモータ（オムロン製Ｒ２ＤＧ−８４）５０が収納され、イジェクトモータのねじ孔５０ａとドライブベース２０のねじ孔５５ａとを介して図示しないねじで連結される。
【００８２】
尚、イジェクトモータ収容部５５の所定寸法の高さを獲得する為にはドライブベース２０の高さがより必要となる為、ドライブベース２０のカートッジホルダ収容部２０ｈの後方の空間部２０ｉを利用して、イジェクトモータ収容部５５を空間部２０ｉ側に突出させて形成する。ゆえに、ドライブベース２０の厚さを変更する必要なく、ドライブベース２０の高さ範囲内（約１５．８ｍｍ）でイジェクトモータ５０を収容する為の高さスペース（最高部分で約１０．７ｍｍ）を確保することが可能になり、薄型化が可能になる。
〔ロード板〕
光ディスクカートリッジを排出する際に前述したイジェクトモータ５０の駆動により装置の後方にスライドするロード板２４は、図３において前述したターンテーブル２２の板金２１の下側に配置されている。ロード板２４が装置の後方にスライドすると、板金２１のスライドピン２３ａ及び２３ｂがロード板２４のガイド８５をスライドし、板金２１を上昇させるとともにターンテーブル２２ａを開口２０ａを通して上昇し、光ディスクのハブとの係合を解除して光ディスクカートリッジをアンロードする。
【００８３】
尚、ガイド８５の高さで定まるロード板２４の取り付け高さは、ドライブベース２０のターンテーブルユニット収容部の高さとほぼ同一になるように設定されており、ドライブベース２０の最上面の端面から突出しないようになっている。
【００８４】
また、カバー１３で被覆される側のドライブベース２０に配置される他の部品も同様に、ドライブベース２０の最上面の端面から突出しないように、部品高さ及び取付け高さが設定されていることは言うまでもない。
【００８５】
ターンテーブルのロード／アンロードについては後述する。
〔プリント基板〕
図５はプリント基板の拡大図を示す。プリント基板１１には、パワーコネクタ９８とインターフェースコネクタ９９が取り付けられ、光ディスクに対する情報の再生又は記録、消去等の制御を行う為のＤＳＰ、ＭＰＵ等の回路部品が片面実装される。そして、プリント基板１１の実装面側に、カートリッジホルダ７１が対向するように搭載される。
【００８６】
また、部品が実装された側のプリント基板１１を図示しない防塵フイルムを介してカートリッジホルダ７１に対向するように、背の低い部品（ＤＳＰ、ＭＰＵ等のＩＣ部品）はカートリッジホルダ対向部Ａに実装し、かつ背の高い部品（コンデンサ、コネクタ９８、９９等）はドライブベース２０の空間２０ｉに対向するようにして空間２０ｉ対向部Ｂに実装し、カートリッジホルダ７１を介してプリント基板１１の複数の孔１１ａとドライブベース２０を重ね合わせてねじにより連結する。
【００８７】
従って、プリント基板１１における回路部品の配置をドライブベース２０及びカートリッジホルダ７１の形状に合わせて考慮することで、ドライブベース２０の厚さ（高さ）をさらに薄型化し、装置の全体の高さを小さくすることが可能になる。
【００８８】
尚、本実施例で用いられるねじはねじ頭厚０．３ｍｍ以下のもの、またはねじ頭厚０．５ｍｍであってプリント基板１１の孔に絞りサガネを嵌合したものを用いて、薄型化を図っている。
【００８９】
また、回路部品が片面実装されたプリント基板１１の実装面に、座金を半田付けして、その座金を介してねじ止めする事で、ねじ頭の厚さをプリント基板１１の厚さの中に沈めることで、プリント基板１１の表面を平坦化して装置の薄型化を図っている。
【００９０】
以上、前述した部品をドライブベース２０に搭載した後、枠１２がドライブベース２０の周縁部を覆うように嵌め込まれ、ステンレス鋼等の強磁性材料をプレスして成形されたカバー１３がプリント基板１１と反対側のドライブベース２０にねじ止めされて、光学的記憶装置のユニットが完成する。
【００９１】
図６は、背面側要部構成図である。
〔光学系のＦＰＣ〕
ドライブベース２０の空間部２０ｉに、プリント基板１１のプラグインコネクタ９２’に接続されるプラグインコネクタ９２、光検出器５２、ヘッドＩＣ等の回路部品を搭載したフレキシブルプリント配線シート（ＦＰＣ）９１が９１ｃ及び９１ｄ等の複数のねじによりドライブベース２０に配設されている。
〔レンズキャリッジ〕
レンズキャリジ３０には、対物レンズＬ及び該対物レンズＬを駆動する磁気回路を有するレンズアクチューエータ６０が搭載されている。そして、レンズアクチューエータ６０をフォーカス方向又はトラック方向に駆動する為の信号等を導くフレキシブルプリント配線シート３９ａがレンズキャリッジ３２のコイル部３２ａに沿って接着剤で接着されている。さらに、レンズアクチューエータ６０の対物レンズＬの周囲にはステンレス鋼等の強磁性材料からなるキャリッジカバー１１５が取り付けられている。
【００９２】
続いて、レンズキャリッジ３０の両側には、レンズキャリッジ３０を光ディスク半径方向に移動させるボイスコイルモータ（ＶＣＭ）が設けられ、ボイスコイルモータ（ＶＣＭ）は、レンズキャリッジ３０のコイル部３２ａ及び３２ｂと、ヨークと磁石からなる磁気回路３３ａ及び３３ｂとで構成される。
【００９３】
また、レンズキャリッジ３０の両側に設けられたベアリング３１ａ〜３１ｃに係合し、レンズキャリッジ３０の移動を円滑化するガイドレール１１３ａ及び１１３ｂがそれぞれ板ばね１１２ａ、１１２ｂ、１１４により予圧を与えられながら固定されている。
【００９４】
つまり、板ばね１１２ａ及び１１２ｂはガイドレール１１３ｂをガイドレール１１３ｂの両端部周辺のドライブベース２０の係合壁に押しつけるようにして固定する固定側として作用し、板ばね１１４はガイドレール１１３ａをガイドレール１１３ｂ側（ガイドレール長手方向と直角方向）へ押しつけるように予圧を加える予圧側として作用する。また、ガイドレール１１３ａ及び１１３ｂとベアリング３１ａ〜３１ｃとがＶ字型の接点を有し、常に隙間ない係合関係を維持できる働きをなしている。
【００９５】
キャリッジストッパＳ1 〜Ｓ3 は、レンズキャリッジ３０の移動方向の両端部に対向するドライブベース２０に接着して設けられており、レンズキャリッジ３０がドライブベース２０にぶつかった時の衝撃を緩和する緩衝作用を有し、ゴム材で構成されている。また、キャリッジストッパＳ3 は、ビームリフレタプリズム４４に密着して設けられており、ビームリフレタプリズム４４の保護機能と窓４１ｂとビームリフレタプリズム４４との間に生じる間隙を塞いで、固定光学ユニット４０への塵埃流入を防止する密閉機能とを持たせている。
【００９６】
尚、図６では、ロード板２４上に設けられたキャリッジロック２６がレンズキャリッジ３０側に突出することによりホームポジションから回動してレンズキャリッジ３０が光ディスクの半径方向への移動を妨げるようにロックしている様子が示されている。
〔ターンテーブル〕
ドライブベース２０のカートリッジが収容されるカートリッジホルダの上面側に、ターンテーブル２２が光ディスクの中心部に対向する位置に設けられた開口２０ａを介するようにターンテーブルユニット２２２が設けられている。そして、カートリッジホルダの上面側のドライブベース２０のターンテーブルユニット収納部は、ターンテーブルユニット２２２の厚さ（約５．８ｍｍ）とほぼ同一の高さ（約６．０ｍｍ）  に設定されている。
【００９７】
ドライブベース２０の開口２０ａから突出したターンテーブル２２の中心に突起２２ａがあり、光ディスクのハブの中心孔に係合するようになっている。
【００９８】
そして、板金２１上にフレキシブルプリント配線シート（ＦＰＣ）８９が接着されている。このフレキシブルプリント配線シート（ＦＰＣ）８９上には、光ディスクカートリッジに設定されたライトイネーブルを検出するセンサ８６、光ディスクカートリッジに設定されたライトプロテクトを検出するセンサ８７、光ディスクカートリッジの挿入を検出する為のカートリッジインセンサ８８が取り付けられている。
【００９９】
尚、３．５インチ光磁気ディスクカートリッジは１２８ＭＢでＩＳＯ／ＩＥＣ１００９０、２３０ＭＢでＩＳＯ／ＩＥＣ１３９６３にて規格化され既に市販されている為、特に光ディスクカートリッジの詳細図を省略する。
【０１００】
フレキシブルプリント配線シート（ＦＰＣ）８９の端部はレンズキャリッジ３０やレンズアクチューエータ６０の移動を制御する為の信号を伝達するフレキシブルプリント配線シート（ＦＰＣ）３９上に設けられたコネクタに接続されており、フレキシブルプリント配線シート（ＦＰＣ）３９はドライブベース２０の側面を回り込んで折り曲げられてプリント基板１１上に設けられたコネクタに接続されている。
【０１０１】
続いて、板金２１の下側、つまり、ドライブベース２０と板金２１の間にロード板２４が配設されている。ロード板２４が装置の前後方向（±Ｙ方向）に移動すると、ロード板２４に設けられた複数の溝２４ａ〜２４ｃ内をドライブベース２０に設けられた係合ピン２９ａ〜２９ｃが移動する。さらに、イジェクト指示によりロード板２４が後方（＋Ｙ方向）に移動し、光ディスクカートリッジとの係合を解除した後、一端がロード板２４に他端が係合ピン２９ａ及び２９ｂにそれぞれ連結されたコイルばね２８ａ及び２８ｂの弾性力によりロード板２４が早急にもとの位置に戻るべく装置前方（−Ｙ方向）に移動する。
【０１０２】
尚、前述したイジェクト指示には、フロントベゼル１０に設けたイジェクトボタン１０ａを押すことによる場合と、マニュアルイジェクト孔１０ｄにピン等を強く押し込むことによる場合がある。前者の場合は、イジェクトボタン１０ａを押すことにより、イジェクトモータ５０が駆動され、ロード板２４の端部２４ｄを引くことによりロード板が装置の後方に移動し、後者の場合は、マニュアルイジェクト孔１０ｄにピンＰを強く押し込むとロード板２４の立壁部１０ｆにピンＰが当たり、ロード板２４が装置後方に押され移動するものである。
〔マニュアルイジェクト孔〕
マニュアルイジェクト孔１０ｄは、前述したようにピンＰが挿入可能にフロントベゼル１０に設けられた開孔である。また、マニュアルイジェクト孔１０ｄに対向するドライブベース２０にも同様に開孔１０ｄ’が設けられている。従って、マニュアルイジェクト孔１０ｄから挿入されたピンＰが前記開孔１０ｄ’の開孔空間を通って、ロード板２４の立壁部１０ｆに押し当たるように形成されている。
【０１０３】
しかしながら、マニュアルイジェクト孔１０ｄや開孔１０ｄ’は、空気の通路となり、ディスクの回転時の空気の圧力差等が原因して、ドライブベース２０内に外部からの塵埃が流入する場合がある。
【０１０４】
従って、本実施例では、マニュアルイジェクト孔１０ｄと開孔１０ｄ’に密閉用の被覆カバー１０ｅを設けている。もちろん、マニュアルイジェクト孔１０ｄと開孔１０ｄ’の両方に被覆カバーを設ければ塵埃流入防止の効果は向上する。しかし、ドライブベースの形状や、フロントベゼルの仕様によっては、被覆カバーを一方しか設けられない場合もあるが、被覆カバーが無い場合よりは充分密閉効果を得ることができる。
【０１０５】
図７（Ａ）〜（Ｃ）及び図８（Ａ）〜（Ｂ）は、被覆カバー１０ｅの具体的な構成例を示したものである。図７（Ａ）において、被覆カバー１０ｅは、円形状の薄い樹脂シートからなり、外周部に接着用の粘着剤が塗布されてなるシール部材１０ｈでなり、中心部がケーキカット状に８等分に切断されている様子が示されている。
【０１０６】
そして、図７（Ｂ）及び（Ｃ）に、ピンＰがマニュアルイジェクト孔１０ｄ又はドライブベース２０の開孔１０ｄ’に挿入された状態が示されており、８等分に切断された８つの切片１０ｉが押し上げられて中央部が開孔し、ピンＰがフロントベゼル１０の内側又はドライブベース２０の内側に進入することを可能にしている。
【０１０７】
尚、シール部材１０ｈは、樹脂の他、ゴム又はスポンジ特性を有する材質、又はアルミ泊等の材質で構成しても良く、接着の為に両面テープを用いることも可能である。また、シール部材１０ｈの形状は孔を被覆可能な大きさであれば円形でなくても多角形であっても良く、中央部の切断方法もピンＰが容易に挿入可能な形状で、かつ容易にピンＰが抜かれた時に容易に塞がる構造であれば良い。
【０１０８】
図８（Ａ）において、被覆カバー１０ｄは、孔（マニュアルイジェクト孔１０ｄ又は開孔１０ｄ’）を塞ぐゴムからなるカバー部１０ｋとカバー部１０ｋを接着固定するとともに、孔側に押し当てる為の板ばね部１０ｊで構成される。板ばね部１０ｊはフロントベゼル１０の内側又はドライブベース２０の内側に接着剤で固定もしくは板ばね部１０ｊに爪を設け、爪をフロントベゼル１０の内側又はドライブベース２０の内側に設けた孔に嵌め入れることで固定する。
【０１０９】
そして、図８（Ｂ）に示すように、ピンＰが挿入されていない時は、板ばね部１０ｊのばね作用によりカバー部１０ｋで孔は被覆されて密閉性を向上させ、ピンＰが挿入されるとその押し当て力により板ばね部１０ｊが押されて反り、ピンＰの進入を許容するものである。
【０１１０】
尚、カバー部１０ｋはゴム以外に樹脂やスポンジ性の材質にして孔との密着度の向上を図ることも可能であり、板ばね部１０ｊは金属のばね材だけでなく、マイラーフィルム等の薄いビニール又はプラスチック材を用いて簡素な構成にして軽量化を図ることも可能である。
〔固定光学系〕
固定光学ユニット４０は、ドライブベース２０の後方のカートリッジホルダ収容部２０ｈの外側に、ターンテーブルユニットの収容面より下方に凹ませて（約６．４ｍｍ高さの）ヘッドベースを形成し、ヘッドベースの表面に以下詳述する光学部品が直接配置される。
【０１１１】
図９は、固定光学ユニット４０の拡大図である。図９（ａ）に示されるように、ドライブベース２０にブロック４１を設け、その上面に複数のねじ孔４１ａと複数の位置決め用の突起４１ｂが設けられている。そして、図６において明示された板ばね１１１がＭレンズ４６とＳレンズ４７側に延出して構成され、コリメータレンズ４３、Ｍレンズ４６、Ｓレンズ４７をその下面の壁面とブロック４１の面に弾性力により押し当たり固定するように、突起４１ｂに係合するとともにねじ孔４１ａを介してねじ止めされる。
【０１１２】
また、移動光学ユニットであるレンズキャリッジ３０から導かれた戻り光から、光ディスクの再生データ用信号を検出する光検出器５２とフォーカスサーボ用信号及びトラックサーボ用信号を検出する光検出器５３がドライブベース２０の収容部４９ａ、４９ｂにそれぞれ嵌め込まれている。
【０１１３】
図４に示した光学部品を搭載しないヘッドベースを拡大して図９（ｂ）に示す。
【０１１４】
ヘッドベースは、前述したようにドライブベース２０を下方に凹ませて形成したものである。そして、光学部品が接触する壁面に、前述したブロック４１と同様なブロック４１１，４１２〜４２０を特別に面精度を高くして形成している。
【０１１５】
つまり、コリメータレンズ４３は底面のブロック４１１と接触し高さ方向の位置決めを行い、かつ立壁面のブロック４１２と接触し前後方向の位置決めを行い、前述した板ばね１１１により各ブロックの壁面に押し付けられ固定される。また、Ｍレンズ４６は立壁片のブロック４１５と接触し左右方向の位置決めを行い、かつ底面のブロック４１６’と接触し高さ方向の位置決めを行い、かつブロック４１６’より若干高く形成された２つのブロック４１６の間に挟み込まれて接触して前後方向の位置決めを行ない、前述した板ばね１１１により各ブロックの壁面に押し付けられ固定される。さらに、Ｓレンズ４７は図示されないブロックに接触して、前述した板ばね１１１によりブロックの壁面に押し付けられ固定される。
【０１１６】
ビームリフレクタプリズム４４は、立壁面のブロック４１３と接触し左右方向の位置決めを行い、底面のブロック４１４と接触し高さ方向の位置を決め、ブロック４１０により前後方向の位置決めを行なっている。
【０１１７】
さらに、後述するサーボユニット４８は立壁片のブロック４１７，４１８の間に形成された隙間に端部が挟みこまれて固定される。
【０１１８】
従って、各光学部品は、面精度を高くして形成されたブロック４１１〜４２０に押し当てて接触させて位置決め固定することにより、ドライブベース２０の全体の面精度を高くする必要なく、直接配置することが可能になる。
【０１１９】
従って、ドライブベース２０にヘッドベースを直接形成することが可能になり、装置全体の高さを小型化することが可能になる。また、従来から知られている別体のヘッドベースが不要になり、軽量化を図ることも可能である。
【０１２０】
光磁気ディスク装置の主要部を構成する光学系について説明する。図１０は固定光学ユニット上に配置された光学部品の配置を示す図である。図１１は固定光学ユニット４０内の光ビームの光路を説明図である。
【０１２１】
固定光学ユニット４０は、ドライブベース２０上に光学部品が配置できるように高精度に所定の形状に形成されている。レーザダイオードユニット（ＬＤユニット）４２から所定の発光パワーを有する光ビームが出射される。
【０１２２】
特に、レーザダイオードユニット（ＬＤユニット）４２は、レンズキャリッジ３０のシーク方向と垂直方向から打ち出すようにして、４５°立ち上げミラーで屈折させてレンズキャリッジ３０内の立ち上げミラーＭに導くことで、光路を最小にすることで、装置奥行き方向の寸法を短くすることに寄与している。
【０１２３】
出射された光ビームはコリメータレンズ４３を通り、続いて、ビームリフレクタプリズム（ＢＲプリズム）４４を通って窓４１ｂから図示しないレンズアクチュエータ６０の対物レンズＬに導かれ、対物レンズＬで絞られた光ビームが光ディスクに照射される。
【０１２４】
その後、光ディスクＤから反射された戻り光が対物レンズＬを通って窓４１ｂに導かれ、ビームリフレクタプリズム（ＢＲプリズム）４４を介してビームスプリッタアンドウォンブリングプリズム（ＢＷプリズム）４５に導かれて、光ディスクの再生信号とフォーカス信号及びトラック信号とに分光される。そして、再生信号（アドレス信号と光磁気信号）はＭレンズ４６を介し、スリット５２Ｓを通してドライブベース２０の収容部４９ｂに配置された光検出器５２に導かれる。また、フォーカス信号及びトラック信号は、ビームスプリッタアンドウォンブリングプリズム（ＢＷプリズム）４５からＬレンズ４７に導かれ、続いてサーボユニット４８により複数の信号成分β1〜β4に分離され、スリット５３Ｓを介して収容部４９ａに配置された光検出器５３に導かれる。そして、光検出器５３は信号成分β1〜β4からフォーカス信号ＦＥＳとトラック信号ＴＥＳを作り出している。
〔サーボユニット］
図１２（Ａ）及び図１２（Ｂ）は、サーボユニット４８の複合レンズの構造を示したものである。サーボユニット４８は、その出射面が戻り光の光束のうち、第１の光β1を出射する第１の出射面４８ａが図中右傾斜で形成され、第２の光β2を出射する第２の出射面４８ｂが図中左傾斜で形成される。また、第３及び第４の光β3，β4を出射する第３及び第４の出射面４８ｃ，４８ｄが山形状に形成されたものである。
【０１２５】
第１の出射面４８ａは、第３の出射面４８ｃと同じ方向に傾斜しており、且つ傾斜角α1 は第３の出射面４８ｃの傾斜面α3より小さい。
【０１２６】
第２の出射面４８ｂは、第４の出射面４８ｄと同じ方向に傾斜しており、且つ傾斜角α2は第４の出射面４８ｄの傾斜角α4より小さい。
【０１２７】
図１２（Ｃ）は、光検出器５３を示す図である。Ｌレンズ４７に導かれた光ディスクＤからの戻り光は、サーボユニット４８により第１〜第４の光β1〜β4に４分割され、光検出器５３に受光される。光検出器５３は、第１及び第２の光β1 ，β2 を受光する４分割（Ａ〜Ｄ）された第１の受光部５３ａと、第３の光β3を受光する第２の受光部５３ｂと、第４の光β4とが一平面上（それぞれ分離されていてもよい）に形成される。
【０１２８】
詳細には、戻り光の光束のうち、第１の出射面４８ａより出射された第１の光β1は、光検出器５３の第１の受光部５３ａのＡ，Ｄ領域で受光される。また、第２の出射面４８ｂより出射された第２の光β2は第１の受光部５３ａのＢ，Ｃ領域で受光される。これにより、フーコー法により、（Ａ＋Ｃ）−（Ｂ＋Ｄ）の演算を行い、フォーカス誤差信号を検出する。
【０１２９】
また、戻り光の光束のうち、第３の出射面４８ｃより出射された第３の光β3 は、光検出器の第２の受光部５３ｂ（Ｅ領域）で受光され、第４の出射面４８ｄにより出射された第４の光β4は第３の受光部５３ｃ（Ｆ領域）で受光される。これにより、プッシュプル法により（Ｅ−Ｆ）の演算を行い、トラッキング誤差信号を検出するものである。
【０１３０】
以上説明したように、フォーカス検出にフーコー法、トラッキング誤差信号検出にプッシュプル法を用いても光路を２分割する必要がないため、光路を短縮して固定光学系の装置全体に占める体積を小さくすることができ、部品点数を削減できる。
【０１３１】
尚、サーボユニット４８の具体的な詳細は、特開平５−２５０７０４号等に記載されており公知である。
〔プリズムの製造方法〕
次に、前述したＢＲプリズムやＢＷプリズムは、本実施例のような全高約１７ｍｍの超小型光ディスク装置に搭載するに当たって、小型にする必要がある。キューブ型プリズムを例にとると、例えば、幅Ｗ×長さＬ×高さＨを６×６×６〔ｍｍ〕のものから、５×５×５〔ｍｍ〕のものに小型化すると、取付精度によるプリズムの角度ずれが同等になるように公差は±０．１ｍｍから公差±０．０８ｍｍにする必要がある（公差／寸法＝０．１／６≒０．８／５）。
【０１３２】
しかしながら、プリズムを前述のように６ｍｍタイプから５ｍｍタイプのように小型にすると、公差も小さくなりかなり高精度な取付精度を必要とする。これに対し、本実施例では、公差を小さくすることなく、しかも小型なプリズムの製造方法を説明する。
【０１３３】
図１３（ａ）〜（ｃ）はビームリフレクタプリズム（ＢＲプリズム）の製造方法の説明図である。対向面の四角形が一致する三角柱状の２本の長いプリズム１０１ａ及び１０１ｂを準備する。そして、一方のプリズム１０１ａには所定の面に蒸着膜１０３ａが形成されており、蒸着膜１０３ａを他方のプリズム１０１ｂの所定の一面に対向させて２本のプリズム１０１ａ及び１０１ｂの端部を揃えて接着する。さらに、プリズム１０１ｂの所定の面にＬＮウォラストンプリズム１０１ｃを接着する。
【０１３４】
このようにして作成された幅Ｗ1×長さＬ1の角柱状のプリズム１０１ｄを所定の切断長さＨ1で切断し、所定数のＢＲプリズム１０１ｅが作成される。
【０１３５】
同様に、図１４（ａ）〜（ｃ）を用いてビームスプリッタアンドウォンブリングプリズム（ＢＷプリズム）の製造方法を説明する。
【０１３６】
対向面の四角形が一致する三角柱状のプリズム１０２ａと角柱状のプリズム１０２ｂを準備する。そして、一方のプリズム１０２ａは所定の面に蒸着膜１０３ｂが形成されており、蒸着膜１０３ｂを他方のプリズム１０２ｂの所定の一面に対向させて２本のプリズム１０２ａ及び１０２ｂの端部を揃えて接着する。さらに、プリズム１０２ｆを角柱状のプリズム１０２ｂの下面に接着する。このように作成された幅Ｗ2×長さＬ2のプリズム１０２ｃ所定の切断長さＨ2で短冊状に切断し、所定数のＢＷリズム１０２ｄが作成される。
【０１３７】
前述したように作成されたＢＲプリズムとＢＷプリズムは、それぞれの切断長さＨ1と切断長さＨ2を光ディスク装置の高さ（厚さ）方向（Ｚ方向）の長さとなるように、図９及び図１０で示されるように配置する。つまり、切断による誤差が生じやすい長さＨ1と長さＨ2を有する面を取付精度に関与しない位置、つまり高さ方向にもってくることで、高さ方向の小型化を行うとともに、幅方向や奥行き方向の寸法は変えずに取付精度の向上を図ることを可能にしている。
【０１３８】
また、ＬＤユニット４２が出射する光ビームの光束径ΦＤをΦＤ／Ｈ＞１．０、例えば、プリズムの高さＨを５ｍｍとすると、光束径ΦＤを０．２ｍｍとして充分小さくして、光束がプリズムの高さ方向の面から光がはみ出さないようにしている。従って、プリズムを小型化しても必要最低限の精度を維持することが可能である。
【０１３９】
また、本実施例で示されたプリズム以外でも同様に応用できることはいうまでもない。
【０１４０】
ゆえに、このように製造されたプリズムを使用することで、本実施例で示したアルミダイキャストで成形されたドライブベースのような面精度の悪い面をヘッドベースの面としても充分な取付精度を得ることができ、別体のヘッドベースを用いずにドライブベースに直接実装することを可能にしている。
〔対物レンズ〕
図１５（ａ）は、対物レンズの拡大斜視図であり、図１５（ｂ）は、対物レンズの断面図である。
【０１４１】
対物レンズＬは、レンズの外周縁部に帽子のつばの形をした平坦な面を有するフラット部Ｆが設けられている。そして、フラット部Ｆの一端面ｆ’と光軸とが垂直になるように調整しながら、レンズアクチューエータ６０のレンズ搭載部６２ａの端面にフラット面Ｆをつきあてて接着固定される。
【０１４２】
従って、対物レンズＬが小型になっても、簡単な調整方法で高い精度でレンズ搭載部６２ａに搭載可能になる効果がある。
〔レンズキャリッジ〕
図１６（ａ）〜（ｃ）は、レンズキャリッジの拡大図を示し、レンズキャリッジ上の対物レンズの光軸調整方法が示されている。
【０１４３】
レンズキャリッジ３０の中央部には、固定光学ユニット４０に対して光ビームの入射出射を行う集光レンズ２９や、集光レンズ１２９からの光ビームを４５°立ち上げる立ち上げミラーＭや対物レンズＬを保持するレンズアクチュエータ６０等を搭載する為の空間が形成されている。尚、レンズアクチュエータ６０の詳細については、図１７にて後述する。また、レンズキャリッジ３０の両側には、前述したベアリング３１ａ〜３１ｃや、コイル部３２ａ及び３２ｂが設けられている。
【０１４４】
次に、対物レンズＬの光軸調整方法について述べる。
【０１４５】
レンズキャリッジ３０上にレンズアクチュエータ６０を取り付ける際に、オートコリメータ等を用いて、基準溝１２１ａ〜１２１ｃに治具をあて、予圧Ａを所定の位置に与えて、対物レンズＬに光を照射して傾きを検出する。そして、対物レンズＬのフラット面Ｆとターンテーブル２２のディスク搭載面２２ｂとが略平行になるように、つまり対物レンズＬの光軸ｌが光ディスクの面と略垂直になるように、レンズアクチュエータ６０のねじ取付部６１ａ、６１ｂとレンズキャリッジ３０の底面との間にコイルばね１２２ａを介在させた状態で、コイルばね１２２ａの中央部に差し込まれたねじ１２２ｂをドライバ１５２で閉める。
【０１４６】
従って、コイルばね１２２ａの弾性圧により対物レンズＬの傾き、つまり光軸ｌの傾きの微調整がなされる。ゆえに、アクチュエータ６０の取付部は２か所ある為、２つのねじで対物レンズを２方向に、つまり２次元的に微調整することが可能になる効果がある。
〔アクチュエータ〕
図１７は、レンズアクチュエータの拡大図である。そして、対物レンズＬをトラック方向やフォーカス方向に移動可能に保持する熱硬化性樹脂等からなるレンズ保持部６２１と、レンズ保持部６２１の中央開口部の壁部に接着して設けられるフォーカスコイル６５と、フォーカスコイル６５の前述した接着部と反対側の面に接着されるトラックコイル６６ａ及び６６ｂとで、アクチュエータ６０の可動部を構成している。
【０１４７】
また、フォーカスコイル６５の左右に設けられた２つのトラックコイル６６ａ及び６６ｂは、フォーカスコイル６５の巻き回し面と略垂直な方向に巻き回されており、その端部が磁気回路のヨーク６３の端面より外側へ左右にはみ出している。すなわち、トラックコイル６６ａ及び６６ｂの上下方向に向かう部分を磁気回路の外側に位置させることで、磁束の影響を受けないようにしてメカ的な発振が生じないように制御している。
【０１４８】
さらに、可動側レンズ保持部６２１の中央開口部のトラックコイル６５に対向するようにアクチュエータベース６２上に設けられた磁石６４と、磁石６４の磁力を受けるアクチュエータベース６１の折り曲げ部からなるヨーク６１ｃと、ヨーク６１ｃと対向して設けられた折り曲げ部からなるヨーク６１ｄと、前記２つのヨークを連結するＵ字型のカバーヨーク６３とでアクチュエータ６０の磁気回路を構成している。
【０１４９】
さらに、アクチュエータ６０の可動部を保持する４本のワイヤ部６７ａ、６８ａ、６９ａ（１本図示せず）と、孔をレンズ搭載部６２ａの突起６２ａ、６２ｂに孔を嵌入して接着され、対物レンズ側のワイヤ部の端部を保持する端子板６７ｃ、６８ｃ、６９ｃ（１つ図示せず）と、アクチュエータベース６１の端部に嵌め込まれたワイヤ保持部６２ｃと接着される端子板６７ｄ、６８ｄ、６９ｄ（１つ図示せず）が設けられている。そして、ワイヤ部の振動を吸収する為の制振部材６７ｂ、６８ｂ、６９ｂ、７０ｂ（１つ図示せず）が設けられている。
【０１５０】
尚、ワイヤ保持部６２２上にＦＰＣ３９ａの端部が延出されてきており、ワイヤ保持部６２２上の４つの端子板と半田付けされる。また、レンズ保持部６２１上の４つの端子板とフォーカスコイル６５とトラックコイル６６ａ、６６ｂのそれぞれ２本ずつのリード線が半田付けされる。このようにして、フォーカスコイル６５及びトラックコイル６６ａ、６６ｂとＦＰＣ３９ａとの導通を図っている。ゆえに、各コイルの細いリード線を引き回すことなく電気的接続が行えるので、断線の恐れがなく信頼性を向上させることができる。
【０１５１】
さらに、４本のワイヤ部と各ワイヤ部の両端の端子板は、左右２本のワイヤ部を連結した状態を１組とした型（コの字状）から板ばね材や線型ばね材をプレス加工することで作成される。そして、左右２本のワイヤ部は連結された状態（コの字状）のままで、ワイヤ保持部６２２に取り付けられ、その後連結部が切断される。従って、このように作成したワイヤアセンブリを用いることで、小さな部品の取り扱いや管理が容易になり組立効率の向上を図ることができる。
【０１５２】
以上のように、アクチュエータベース６１は前述したアクチュエータ６０の部品を全て搭載した状態で、アクチュエータベース６１の折り曲げ片の取付部６１ａ及び６１ｂを介してレンズキャリッジ３０にねじ止めされる。
【０１５３】
図１８は、レンズアクチュエータの磁気回路内のフォーカスコイル６５、トラックコイル６６ａ、６６ｂの配置関係を示す図である。
【０１５４】
トラックコイル６６ａ、６６ｂにおいて、駆動力として使用されるのは内側コイル部６６ｃ、６６ｄのみであり、外側コイル部６６ｅ、６６ｆは関与しない。
【０１５５】
しかし、外側コイル部６６ｅ、６６ｆが磁気回路のギャップ磁束から十分遠い位置にない場合は、レンズアクチュエータの動きにつれて、本来の駆動方向とは逆方向に、ある時は強く、ある時は弱く作用する。これは駆動力が一定せず、また本来の駆動方向とは別方向の力が発生する事で、レンズアクチュエータの動きが制御方向から外れた姿勢で動くことになり、制御が困難になることがある。
【０１５６】
これに対し、本実施例では、駆動力として関与しない外側コイル部６６ｅ、６６ｆをギャップ磁束から十分遠い位置に配置している為、前述したようなアクチュエータの挙動を防止する作用をなしている。
〔ワイヤアセンブリ〕
前述したワイヤ部６７ａ、６８ａ、６９ａ（１本図示せず）は、上層から順に、カプトン、マイラーフィルム等からなる制振板、制振板を張りつける両面テープ又は非完全硬化性接着剤からなる接着層、ワイヤ、接着層、制振板とで構成される。
【０１５７】
尚、図１９はワイヤ部の構成の相違による比較図である。図１９（ａ）は、制振部材を設けずワイヤのみの場合を示し、図１９（ｂ）は、前述した実施例のような制振部材を設けた場合を示している。図において、横軸はワイヤに加える電流の周波数（Ｈｚ）であり、縦軸は電流（ｉ）に対するゲイン（ｄＢ）、つまり振動量を示している。
【０１５８】
図１９（ａ）と図１９（ｂ）を比較すると、図１９（ａ）のワイヤのみの場合は、ある周波数の所で急激なピークを形成している、つまり振動しているが、図１９（ｂ）のダンピング部材を有する場合は、図１９（ａ）のような急激なピークは無く、振動が減衰していることが示されている。
【０１５９】
従って、ワイヤ部に剪断変形が生じても、ワイヤ部の周囲を前述した接着層や制振板等のダンピング部材で覆うことにより、ワイヤ部のフォーカス方向及びトラック方向の振動を吸収させることができワイヤのみの場合より約１／１０以下に振動を減衰させることができる。
〔制振部材〕
４つのワイヤ部のワイヤ保持部６２１の近傍に制振部材を設けることは前述した。制振部材は、薄い板状をしており、前述したワイヤ部同様に、アルミ泊やカプトン、マイラーフィルム等で構成された制振板と、両面テープや非完全硬化性接着剤等で構成される接着層からなり、制振板が接着層により接着されている。尚、本実施例では、制振部材６７ｂ、６８ｂ、６９ｂが設けられているが、実際に振動を吸収させるのに大きな役割を果たしているのは接着層であるので、軟粘性のある接着剤のみでも充分なダンピング効果を得ることができる。
【０１６０】
そして、図２０（ａ）にエポキシ系等の熱硬化性接着剤を用いた場合と、図２０（ｂ）にシリコン系や紫外線硬化型等の非完全硬化性接着剤を用いた場合を示している。尚、図において、ワイヤに加える電流の周波数（Ｈｚ）であり、縦軸は電流に対するゲイン（ｄＢ）、つまり振動量を示している。
【０１６１】
図２０（ａ）と図２０（ｂ）を比較すると、図２０（ａ）の熱硬化性接着剤の場合は、ある周波数の所で急激なピークを形成している、つまり振動しているが、図２０（ｂ）の非完全硬化性接着剤の場合は、図２０（ａ）のような急激なピークは無く、振動が減衰していることが示されている。
【０１６２】
従って、ワイヤ部に剪断変形が生じても、レンズアクチューエータ６０の駆動時やレンズキャリッジ移動時等の際に、ワイヤ部の特に変形角度が大きい箇所に、前述した接着層や制振板等の制振部材６７ｂ、６８ｂ、６９ｂを設けることにより、ワイヤ部のフォーカス方向及びトラック方向の振動を吸収させることができワイヤのみの場合より約１／１０以下に振動を吸収させることができ振動を減衰させることができる。
【０１６３】
また、薄い板状の制振部材６７ｂ、６８ｂ、６９ｂは、板の面がレンズキャリッジ３０の底面と平行な方向になるように設けられる為、その挙動により隣接するワイヤ部への影響は生じない。
【０１６４】
以上、説明したようなレンズアクチュエータを採用することにより、レンズキャリッジを高性能でかつ薄型化を図ることができる。
〔ターンテーブルユニット〕
図２１は、ターンテーブルユニットの拡大図である。
【０１６５】
ターンテーブル２２は、光ディスクのハブの金属部を吸引する磁性体で構成されてなり、光ディスクのハブの中心孔と係合する突起２２ａと、光ディスクのハブと接触し、面精度を出すために重要な役割をする外縁部２２ｂとが設けられている。
【０１６６】
また、板金２１は、ドライブベース２０の複数の開口２０ｃ〜２０ｄと嵌合する突起２１ａ〜２１ｂと、ドライブベース２０の複数の突起２０ｅ〜２０ｆと嵌合する開口２１ｃ〜２１ｄと、折り曲げられた湾曲片８１ａ、８１ｂとを有し、さらに、先端にローラを有するスライドピン２３ａ、２３ｂを嵌めるために、短冊状に切られて互い違いの方向に折り曲げられた嵌合片２３ａ’、２３ｂ’を、全てプレス技術により一度に成形されており、簡素な構成となっている。
【０１６７】
そして、板金２１上に、ターンテーブル２２が回転可能に設けられるとともに、フレキシブルプリント配線シート（ＦＰＣ）８９が接着されている。このフレキシブルプリント配線シート（ＦＰＣ）８９上には、光ディスクカートリッジに設定されたライトイネーブルを検出するセンサ８６、光ディスクカートリッジに設定されたライトプロテクトを検出するセンサ８７、光ディスクカートリッジの挿入を検出する為のカートリッジインセンサ８８が設けられている。
【０１６８】
さらに、フレキシブルプリント配線シート（ＦＰＣ）８９は前記センサの信号の伝達とターンテーブル２２への駆動信号の伝達を行っている。
【０１６９】
従って、ターンテーブルユニットは以上の構成からなっており、ターンテーブル２２を駆動する為の駆動回路等は全てプリント基板１１上に搭載されている為、ＦＰＣ実装状態における板金の板厚を薄くすることができ、かつカートリッジホルダ７１の上層のドライブベース２０上の部品を削減でき、装置高さ方向の小型化を可能にしている。つまり、カートリッジホルダ７１の上層のドライブベース２０は、ターンテーブル２２の高さ又はガイド８２ａ，８２ｂ，８３ａ，８３ｂの高さのどちらか高い方の高さですむ。
【０１７０】
本実施例では、ガイド８２ａ，８２ｂ，８３ａ，８３ｂの形状及び湾曲片８１ａ、８１ｂの形状を図示のように工夫しているので、ターンテーブルユニット２２２の上昇量を抑えることができ、ターンテーブルユニット２２２の高さとカートリッジホルダ７１の上層のドライブベース２０の高さを略同一にできる。
【０１７１】
従って、カートリッジホルダ７１の上層のドライブベース２０の高さ（約６．０ｍｍ）を、カートリッジの厚さで定まるカートリッジホルダ７１の高さとターンテーブルユニット２２２の上昇量（カートリッジの排出時に、ターンテーブルが開口２０ａを介してドライブベース２０のカートリッジ収容部からターンテーブルユニット収容部に向かって上昇する為、その際の最大上昇量、つまり、ターンテーブルの取付け厚さと板金の取付け厚さの和で定まる量（約５．８ｍｍ））のみに抑えることができ、高さ約１７ｍｍの実現を可能にしている。
【０１７２】
ゆえに、より薄型のターンテーブルユニットを採用することで、カートリッジホルダの上層のドライブベースの高さをより小さくできる為、光学的記憶装置の装置高さをカートリッジの厚さ（約５ｍｍ）とほぼ同一の厚さに近づけることが可能になる。
〔ロード・アンロード機構〕
光ディスクのアンロードは、前述したターンテーブルユニット２２、イジェクトモータユニット５０、ロード板２４の各部品の係合により達成される。
【０１７３】
まず、フロントベゼル１０に設けたイジェクトボタン１０ａを押すことにより、あるいはマニュアルイジェクト孔１０ｄにピン等を強く押し込むことにより、人手によりディスクの排出が指示される。
【０１７４】
そして、前者の場合は、イジェクトボタン１０ａを押すことにより、イジェクトモータ５０が駆動され、ロード板２４の端部２４ｄを引くことによりロード板が装置の後方に移動し、後者の場合は、マニュアルイジェクト孔１０ｄにピン等を強く押し込むとロード板２４の立壁部１０ｆにピンが当たり、ロード板２４が装置後方に押され移動するものである。
【０１７５】
図２２は、ターンテーブルユニットとロード板の拡大図である。
【０１７６】
ターテーブルユニット２２２の板金２１には、ロード板と係合するスライドピン２３ａ、２３ｂが嵌められている。そして、ロード板２４は、板金２１の下側に設けられ、ターンテーブル２２を含む板金２１を押し上げる機能を有している。
【０１７７】
詳述すると、ロード板２４には、板金２１のスライドピン２３ａ、２３ｂが係合し、装置前方に向かって立ち上がる傾斜を有するガイド孔８４ａ、８４ｂと、ガイド孔８４ａ、８４ｂを安定に誘導する第１のガイド８３ａ、８３ｂと、ガイド孔８４ａ、８４ｂに嵌合したスライドピン２３ａ、２３ｂを安定に誘導し、ガイド孔８４ａ、８４ｂから抜け出したスライドピン２３ａ、２３ｂが乗り上げる平坦面とを有する第１のガイドより低く形成された第２のガイド８５ａ、８５ｂが設けられている。
【０１７８】
さらに、ロード板２４には、装置前方に向かって立ち上がる傾斜面を有する第３のガイド８２ａ、８２ｂが設けられている。従って、ロード板２４が装置後方に移動するに伴って、板金２１のスライドピン２３ａ、２３ｂが先端のローラを回転させながら第２のガイド８５ａ、８５ｂをスライドし、かつ板金２１の湾曲片８１ａ、８１ｂが第３のガイド８２ａ、８２ｂの傾斜面をスライドすることで、板金２１が押し上げられるように構成されている。
【０１７９】
図２３（ａ）は、光ディスクのロード時（挿入時）の装置状態を示す図である。図２３（ｂ）は、要部拡大図である。
【０１８０】
ロード板２４上には、板金２１が搭載されている。そして、図示省略されたスライドピン２９ａ、２９ｂとロード板２４の突起８３ｃ、８３ｄとその両端が連結されたコイルばね２８ａ、２８ｂが縮んだ状態（定常状態）で設けられている。
【０１８１】
この時、板金２１のスライドピン２３ａ、２３ｂはガイド孔８４ａ、８４ｂに嵌合している。また、板金２１の湾曲片８１ａ、８１ｂが第３のガイド８２ａ、８２ｂの傾斜面の下側に位置する様子がわかる。
【０１８２】
尚、ロード板２４上に設けられたキャリッジロック２６は、ドライブベース２０の開口２０ｂに向かって突出している。詳細に述べると、ドライブベース２０の突起２７の方向に回動するように付勢するコイルばね２６ａにより、プラスチックからなるキャリッジロック２６の一部が突起２７に押し当てられ、キャリッジロック２６の端部がドライブベース２０の開口２０ｂ側に突出し、光ディスクの半径方向に移動しようとするレンズキャリッジ３０のコイル部３２ａの端部と係合して、レンズキャリッジ３０の移動を妨げるように作用する。
【０１８３】
図２４（ａ）は、光ディスクのアンロード時の装置状態（未挿入時）を示す図である。図２４（ｂ）は、要部拡大図である。
【０１８４】
前述したイジェクト指示により、ロード板２４は、装置後方に移動し、この移動に伴い、ロード板２４に設けられた複数の溝２４ａ〜２４ｃ内をドライブベース２０に設けられたスライドピン２９ａ〜２９ｃが移動する。さらに、ロード板２４の移動に伴い、板金２１のスライドピン２３ａ、２３ｂはガイド孔８４ａ、８４ｂの傾斜面をスライドし、さらに第２のガイド８５ａ、８５ｂの平坦面に乗り上げ、板金２１が押し上げられる。その後、板金２１のスライドピン２３ａ、２３ｂは所定量スライドし、コイルばね２８ａ、２８ｂの戻り力によりガイド孔８４ａ、８４ｂに引き戻される。
【０１８５】
同様に、ロード板２４の移動に伴い、板金２１の湾曲片８１ａ、８１ｂが第３のガイド８２ａ、８２ｂの傾斜面をスライドし、ターンテーブル２２の近傍の板金２１の上昇に伴って板金２１の湾曲片８１ａ、８１ｂも若干上昇する。尚、板金２１の装置前側はターンテーブル２２の押し上げが目的の為それほど押し上げる必要がないので、前述したスライドピン２３ａ、２３ｂを用いていない。
【０１８６】
その後、コイルばね２８ａ、２８ｂの戻り力により湾曲片８１ａ、８１ｂも元の位置に引き戻される。
【０１８７】
そして、前述した機構により、板金２１の押し上げに伴い、光ディスクを保持した状態のターンテーブル２２が開口２０ａを通して上昇しカートリッジホルダ内部から退避して、開口２９ａ周囲のドライブベース２０の壁面に光ディスクを収容するカートリッジが押しつけられることにより、光ディスクとターンテーブル２２との係合が解除される。そして、後述するカートリッジホルダ７１のカートリッジ排出機構により、カートリッジが装置外部に排出される。
〔カートリッジホルダ〕
図２５は、カートリッジホルダの拡大図である。カートリッジホルダ７１は、ステンレス鋼等をプレスにより形成したものである。そして、カートリッジホルダ７１の開口７１ａに開口７１ａ内を移動可能に嵌合し、光ディスクカートリッジのシャッタを開閉するローラー７２ａと、前記ローラー７２ａをカートリッジ排出方向に付勢するコイルばね７２ｂと、回動アーム７２ｃをカートリッジ排出方向に付勢するコイルばね７２ｄとで、カートリッジ搬送・排出機構７２を構成している。回動アーム７２ｃは、カートリッジ排出時に勢いよくカートリッジが排出されないようにするために、内部に歯車を有しコイルばね７２ｄの弾性力を緩和し、カートリッジの排出力を調整する機構を有している。
【０１８８】
また、カートリッジホルダ７１の中央部付近であって、対物レンズＬからの光ビームと対向する位置に、電磁石ユニット７３が設けられている。そして、電磁コイル部は角線（リボン線）状の銅箔スライスコイルからなり、絶縁シール７４ａとカバー７４ｂで覆われている。尚、角線（リボン線）状のコイルを用いることにより発熱を少なくし、装置内部の温度上昇を防止している。
【０１８９】
さらに、光ディスクカートリッジの端部に係合し、コイルばねによりカートリッジホルダ７１の内側に付勢され、カートリッジ４００をドライブベース２０の他方の壁面に押しつけて押さえるカートリッジ押さえ７５が設けられている。
【０１９０】
前述した部品が搭載されたカートリッジホルダ７１は、複数のねじ孔７１ａ、７１ｂにより、ドライブベース２０にねじ止めされる。
【０１９１】
また、カートリッジホルダ７１の背面側のプリント基板１１に対向する側に、板ばね状に構成された電磁石ユニット７３の端子７３ａが露出しており、プリント基板１１のランド部に接触するように、カートリッジホルダ７１とプリント基板１１は重ね合わされる。そして、プリント基板１１のソリ防止対策の為に電磁石ユニット７３の端子７３ａの近傍とねじ止めされる。
【０１９２】
図２６は、光ディスクカートリッジ４００を正常に挿入排出した状態を示している。そして、ローラー７２ａが光ディスクカートリッジ４００のスライダ４０１の端面に係合し、カートリッジの挿入排出とともに、ローラー７２ａが開口７１ａを移動してスライダ４０１に連結したシャッタ４０２を開閉する。
【０１９３】
図２７は、カートリッジ４００を逆向きに挿入した場合を示している。その際、ローラー７２ａはカートリッジ４００に設けられた溝４０３に嵌め合ってしまい、ローラー７２ａは溝４０３を押しても溝７１ａを移動できず、コイルばね７２ｂの反力により、カートリッジ４００は外部に排出される。
【０１９４】
しかしながら、強引なユーザの使用により、カートリッジ４００が誤挿入されているにもかかわらず押し込むことがあり、ローラー７２ａが磨耗して破損することがあった。尚、通常のシャッタ開閉動作の力を数十グラム程度とすると、誤挿入によるローラー７２ａの曲げ力は人によるが、数キログラムに及ぶ場合もある。
【０１９５】
そこで、図２８はローラ７２ａの具体的な構成を示す。ローラー７２ａは、カートリッジホルダ７１の溝７１ａの周囲を挟み込んで摺動する摺動部７２ｆと、その摺動部７２ｆの中心部に回転軸７２ｅと、カートリッジ４００のスライダ４０１と係合する回転部７２ｇと、回転部７２ｇを抑える係止部７２ｈとで構成される。そして、ローラー７２ａの耐久性を向上させる為に、回転軸７２ｅをアルミやステンレス等の金属材料で構成し、その他の摺動部７２ｆや回転部７２ｇ、係止部７２ｈは摺動性の良いポリアセタール樹脂等の樹脂又はプラスチック等で成形される。また、回転軸７２ｇと摺動部７２ｆの間にコイルばね７２ｂの一部が取り付けられる。
【０１９６】
ローラー７２ａの耐久性を向上させる為に、回転軸７２ｅ以外の部品や全ての部品を金属材料で構成することは可能だが、摺動部分に金属を用いると摺動部分（回転軸７２ｅ、摺動部７２ｆ、回転部７２ｇ、係止部７２ｈ）の表面状態及び使用頻度によるが磨耗が発生し、スムーズなシャッタ開閉動作が行なえなくなることがある。しかし、摺動部分にテフロンコート等の滑り性の良い樹脂をコートしたり、摺動部分に潤滑油を含浸させることで、摺動を円滑にすることが可能であり、前述のように金属材料でローラー７２ａを構成することができる。
【０１９７】
従って、以上のような構成にすることにより、ローラー７２ａの耐久性を向上させることが可能になる。
〔固定光学系のＦＰＣ〕
図２９（ａ）〜（Ｃ）は、固定光学系の信号を伝達するフレキシブルプリントシート（ＦＰＣ）を示している。このＦＰＣ９１は、光学系のサーボ信号、情報信号、レーザダイオード等を制御するヘッドＩＣ９５等の回路部品や、光検出器５２、５３が搭載されている。
【０１９８】
図２９（ｂ）は、図２９（ａ）の背面側を示している。そして、ＦＰＣ９１におけるプラグインコネクタ９２が設けられる裏側の面に、若干硬度を有するフィルムやシート９３、９４が接着剤又は両面テープで貼り付けられている。ゆえに、プラグインコネクタ９２をプリント基板１１側のコネクタ９２’に接続する際に、押し付けやすく作用があり、組立作業性が容易になり、作業性の向上に寄与する。  また、図２９（ｃ）は、プラグインコネクタ９２が表面にむきだしになるように、ＦＰＣ９１を折り曲げたものである。従って、ＦＰＣ９１の実装面積を小さくすることができ、ドライブベース２０の空間部２０ｉに、ねじ孔９１ａ、９１ｂを介してねじ止めすることを可能にしている。
【０１９９】
さらに、ＦＰＣ９１はドライブベース２０の空間部２０ｉに配置されることで、プリント基板１１への接続を容易にし、組立作業性の向上に寄与する。また、ドライブベース２０とプリント基板１１との間で、情報の記録又は再生等に関与する信号を伝達する配線をドライブベース２０の外側に引き回すことなくプラグインコネクタ９２で接続することで、記録又は再生、消去等の信号に外部ノイズの混入を防止することができる。ゆえに、データ記憶装置としてより信頼性の高い装置を実現することが可能になる。
【０２００】
また、プラグインコネクタ９２を用いてプリント基板１１とドライブベース２０との間に挟み込み、更に枠１２で覆われることによりシールド効果が得られ、さらに外部ノイズの混入を防止する効果がある。ゆえに、データ記憶装置としてより信頼性の高い装置を実現することが可能になる。
〔他の実施例〕
図１６及び図１７で説明したレンズキャリッジ及びレンズアクチューエータの他の実施例を図３０を用いて説明する。
【０２０１】
図３０において、対物レンズＬを光ディスクの半径方向に移動させるレンズキャリッジ２３０の中央部には、固定光学ユニット４０に対して光ビームの入射出射を行う集光レンズ２２９、集光レンズ２２９からの光ビームを４５°立ち上げる立ち上げミラーＭ、対物レンズＬ、レンズアクチューエータ１６０等を搭載する為の空間が形成されている。
【０２０２】
また、レンズキャリッジ２３０の両側には、コイル部２３２ａ及び２３２ｂが設けられている。そして、対物レンズＬをトラック方向やフォーカス方向に移動可能に保持する熱硬化性樹脂等からなるレンズ保持部１６２ａと、レンズ保持部１６２ａの中央開口部の壁部に接着して設けられるフォーカスコイル１６５と、フォーカスコイル１６５の前述した接着部と反対側の面に接着して設けられるトラックコイル１６６ａ及び１６６ｂとで、アクチューエータ１６０の可動部を構成している。
【０２０３】
そして、フォーカスコイル１６５の左右に設けられた２つのトラックコイル１６６ａ及び１６６ｂは、フォーカスコイル１６５の巻き回し面と略垂直な方向に巻き回されており、その端部が磁気回路のヨーク１６３の端面より外側へ左右にはみ出している。すなわち、トラックコイル１６６ａ及び１６６ｂの磁気ギャップの外側の上下方向に向かう部分を磁気ギャップの外側に位置させることで、磁束の影響を受けないようにしてメカ的な発振が生じないように制御している。
【０２０４】
また、可動側レンズ保持部１６２ａの中央開口部のトラックコイル１６５に対向するようにアクチューエータベース１６１上に設けられた磁石１６４と、磁石１６４の磁力を受けるアクチューエータベース１６１の折り曲げ部からなるヨーク１６１ｃと、ヨーク１６１ｃと対向して設けられた折り曲げ部からなるヨーク１６１ｄと、前記２つのヨークの上に設けられたカバーヨーク１６３とでアクチューエータ１６０の磁気回路を構成している。
【０２０５】
さらに、アクチューエータ１６０の可動部を保持する６本のワイヤ部１６７ａ、１６８ａ、１６９ａ、１７０ａ、１７８ａ（２本図示せず）と、孔をレンズ保持部１６２ａの突起１６２ｃに孔に嵌入した後接着され、対物レンズ側のワイヤ部の端部を保持する端子板１６７ｃ、１６８ｃ、１６９ｃ（１つ図示せず）と、アクチューエータベース６１の端部に嵌め込まれたワイヤ保持部１６２ｃと接着される端子板１６７ｄ、１６８ｄ、１６９ｄ、１７０ｄが設けられている。そして、ワイヤ部の振動を吸収する為の制振部材１６７ｂ、１６９ｂ（２つ図示せず）が設けられている。
【０２０６】
但し、端子板１６８ｃ及びレンズ保持部材反対側の端子板（ワイヤ１７０ａと連結）は、上下に２本のワイヤ部を有しており、２本のワイヤ部が１枚の端子板に連結している。また、ワイヤ部は、前述した実施例と同様に、接着層や制振板等で周囲を覆った制振構造にしても良い。
【０２０７】
ワイヤ保持部１６２ｂ上にＦＰＣ３９ａの端部が延出されてきており、ワイヤ保持部１６２ｂ上の４つの端子板と半田付けされる。また、レンズ保持部１６２ａ上の４つの端子板とフォーカスコイル１６５とトラックコイル１６６ａ、１６６ｂのそれぞれ２本ずつのリード線が半田付けされる。このようにして、フォーカスコイル１６５及びトラックコイル１６６ａ、１６６ｂとＦＰＣ３９ａとの導通を図っている。ゆえに、各コイルの細いリード線を引き回すことなく電気的接続が行えるので、断線の恐れがなく信頼性を向上させることができる。
【０２０８】
さらに、６本のワイヤ部と各ワイヤ部の両端の端子板は、左右のワイヤ部を連結した状態を１組とした型から板ばね材や線型ばね材をプレス加工することで作成される。そして、左右のワイヤ部は連結された状態（コの字状）のままで、ワイヤ保持部１６２ｂに取り付けられ、その後連結部が切断される。従って、このように作成したワイヤ部材を用いることで、小さな部品の取り扱いや管理が容易になり組立効率の向上を図ることができる。
【０２０９】
従って、アクチューエータベース１６１は前述したアクチューエータ１６０の部品を全て搭載した状態で、アクチューエータベース１６１の折り曲げ片の取付け部１６１ａ及び１６１ｂとレンズキャリッジ２３０をねじ２２３ｂでばね２２３ａを介してねじ止めされる。
〔装置の各部の寸法〕
本実施例では、光学的記憶装置を装置高さ約２４ｍｍ以下、約１７ｍｍにする為の各部構成について以上述べてきた。
【０２１０】
本実施例で述べてきた３．５インチ光磁気ディスクカートリッジの記録再生等行なう光学的記憶装置によれば前記各部品で構成することにより、
▲１▼プリント基板１１の基板のみ厚さ約０．８ｍｍ
（尚、ドライブベース２０の空間部２０ｉの許容高さが約４．５ｍｍであるので、最大約４．５ｍｍ高の回路部品が実装できる。）
▲２▼カートリッジホルダ７１の最高部分での高さ約７．１ｍｍ
▲３▼ドライブベース２０の最高部分での高さ約１５．８ｍｍ
（カートリッジ収容部の高さ約９．７ｍｍ，ターンテーブルユニット収容部の高さ約６．０ｍｍ，ヘッドベースの最高部分で６．４ｍｍ，イジェクトモータユニットの最高部分で約１０．７ｍｍ／低い部分で約９．７ｍｍ，以上全てドライブベースの肉厚を含む。肉厚は約０．８〜１ｍｍで設定される。）
（幅約１００．２ｍｍ，最大部分で奥行き約１３２．２ｍｍ）
▲４▼レンズキャリッジ３０の中央部約７．０ｍｍ厚（奥行き約２２．２ｍｍ），レンズキャリッジ３０のコイル部とＶＣＭを含む厚さ約７．６ｍｍ厚，ＶＣＭのみ約４．５ｍｍ厚
▲５▼ターンテーブルユニット２２２の全高約５．８ｍｍ（板金２１のみ約０．６ｍ）
▲６▼カバー１３の厚さ０．２ｍｍ
▲７▼ロード板の厚さ最高部分で４．７ｍｍ
（前記寸法は±０．１ｍｍの公差が含まれる。）
にすることができ、各部品の構造配置等を考慮することによって、ドライブベースの厚さを約１５．８ｍｍとすることができた為、ドライブベースにプリント基板及びカバーを載せた装置全高で約１７ｍｍを達成している。
【０２１１】
また、プリント基板、フロントベゼル等含めて幅１０２ｍｍ、奥行き１４０ｍｍを達成している。（詳細には、１７．２（高さ）×１０１．６（幅）×１４０ｍｍ（奥行き）を達成した。）従って、厚さ約１７ｍｍ、幅１０２ｍｍ、奥行き１４０ｍｍの薄型フロッピィディスク装置のスロットに内蔵可能になる。
〔装置の各部の重量〕
本実施例では、光学的記憶装置を装置総重量約３００ｇ以下にする為の各部構成について以上述べてきた。
【０２１２】
本実施例で述べてきた３．５インチ光磁気ディスクカートリッジの記録再生等行なう光学的記憶装置によれば前述したように装置を薄型化、部品点数の削減、部品の簡略化等をした為、装置主要各部の重量は、
▲１▼プリント基板１１の総重量約４０ｇ（回路部品含む）
▲２▼カートリッジホルダ７１の総重量約５０．２ｇ（防塵シート等含む）
▲３▼レンズキャリッジ３０の総重量約３６．７ｇ（ＶＣＭ等を含む）
▲４▼カバー１３の総重量約１９．８ｇ
▲５▼ターンテーブルユニット２２２の総重量約１８．３ｇ
▲６▼ドライブベース２０の総重量約６６．５ｇ（ロード板・ＬＤユニット等含む）▲７▼イジェクトモータユニット５０の総重量約１０ｇ
であり、装置総重量約２５０ｇに軽量化できた。
【０２１３】
また、オプションとしてフレーム１２やフロントベゼル１０等を設ける場合の装置総重量は約２９９ｇとなる。
【０２１４】
尚、本実施例では、光磁気ディスクカートリッジの光学的記憶装置を説明してきたが、カートリッジに収納された３．５インチの相変化型光ディスク等の光学的記憶装置にも本実施例で示してきた薄型化、軽量化、小型化の為の技術を応用することが可能であることはいうまでもない。
〔システムの構成〕
以上、説明してきた光学的記憶装置、特に光磁気ディスク装置をコンピュータシステムにおいて使用する実施例を説明する。
【０２１５】
図３１は、システム構成図である。パーソナルコンピュータ３００は、主に、ディスプレイ２、マウス５、コンピュータ本体７、キーボード６により構成されている。
【０２１６】
そして、コンピュータ本体７は、フロッピィディスク装置３、ＣＤ−ＲＯＭ光ディスク装置９、図示しない磁気ディスク装置等の記憶装置を搭載している。そして、その他に前述した構成を有する光磁気ディスク装置１がその外形寸法より若干大きめのコンピュータ本体７の空洞部であるスロット４に挿入されて、光磁気ディスク装置１のＥ−ＩＤＥインタフェース用のコネクタ１ａがスロット４内部の図示しないコネクタに接続される。
【０２１７】
前述した記憶装置は、磁気ディスク装置を除いて、いずれも可搬型媒体を使用するものであり、媒体を挿入又は排出するための機構の一部が外部に露出している。このようなパーソナルコンピュータ３００は、電源スイッチのＯＮにより起動され、予め設定された記憶装置より、オペレーションシステムやアプリケーションを読み出し、それらを実行する。
【０２１８】
図３２は、システムの内部構成概略図である。マイクロプロセッサ（ＭＰＵ）３０１は、パーソナルコンピュータの心臓部であり、メインメモリ３０２に格納されたプログラムやデータを処理する。ＭＰＵ３０１とメインメモリ３０２の間のデータの授受は、内部バス３０３が行う。キャッシュメモリ３０４は、メインメモリ３０２より高速にアクセスできるメモリ素子を使用し、使用頻度の大きいデータを優先的に格納する。バスコントローラ３０５は、内部バス３０３に接続され、内部バス３０７または３０８との間のデータの授受を行う。
【０２１９】
次に、内部バス３０７や、外部機器を直接接続することが可能なバスである。内部バス３０７には、モデム３２１がＲＳ−２３２Ｃインターフェース３２０を経由して、ディスプレイ３２３がグラフィックコントローラ３２２及びビデオメモリ３２４を経由して、フロッピィディスク装置（ＦＤＤ）３２６がフロッピィディスクコントローラ（ＦＤＣ）３２５を経由して、おのおの接続されている。
【０２２０】
内部バス３０７には、更に、磁気ディスク装置（ＨＤＤ）３２８、光磁気ディスク装置（ＭＯＤ）３２９、ＣＤ−ＲＯＭ光ディスク装置（ＣＤ−ＲＯＭ）３３０がＥ−ＩＤＥアダプタを経由して接続される。Ｅ−ＩＤＥインターフェースは、ＩＤＥインターフェースの拡張版であり、いずれも一般的な標準インタフェースである。
【０２２１】
続いて、内部バス３０８は、割込み制御を行うバスであり、タイマ３３１、キーボード３３３が接続されたキーボードコントローラ３３２、割込みコントローラ３３４が接続されている。
【０２２２】
また、図３３は、キーボード６’や約１７ｍｍ高のフロッピディスク装置又は電源ユニットが挿入可能なスロット４’を有するラップトップ型コンピュータ３００’の一例を示したものである。
【０２２３】
前述した光磁気ディスク装置１は、実施例で前述したように小型化できるので、約１７ｍｍ高のフロッピディスク装置の外形とほぼ同じ外形寸法にあわせることができ、前記スロット４’に挿入して使用することが可能である。
【０２２４】
ここで、光磁気ディスク装置１に、図３４（ａ）に示すように、スロット４’に合わせてほぼ同じサイズになるように前述したドライブベース２０とカバー１３のさらなる外周に外装ケース１３’を設けて、スロット４’との嵌め合いを調整する。
〔インタフェース〕
また、本実施例のラップトップ型コンピュータ３００’のインタフェースが、前述した実施例の光磁気ディスク装置１のインタフェースと異なる場合を示している。従って、単純に両者を接続できない為、図３４（ａ）〜（ｄ）に示されるように、ケース１３’の内部に変換部を設けている。
【０２２５】
詳細には、前述した実施例の光磁気ディスク装置１は、Ｅ−ＩＤＥ用コネクタ１ａを有しているが、本実施例のラップトップ型コンピュータ３００’のインタフェースがＰＣＭＣＩＡ型であるので、Ｅ−ＩＤＥ用コネクタ１ａから出力される各種の信号をＰＣＭＣＩＡ用に変換して使用する。
【０２２６】
ゆえに光磁気ディスク装置１がケース１３’に収納された時に、Ｅ−ＩＤＥ用コネクタ１ａが対向して接続されるコネクタ１ｂがケース１３’に設けられていている。
【０２２７】
また、コネクタ１ｂからの信号を導く為のＦＰＣ１ｃがケース１３’に取り付けられた板金１ｄ，１ｅにねじ止めされて固定されている。さらに、ＦＰＣ１ｃからＭＰＵ及びＲＯＭ−ＢＵＦＦＥＲ等を収納したＩＣチップ１ｇに信号を伝達し、そこでＥ−ＩＤＥ用の信号からＰＣＭＣＩＡ用の信号に変換して他端側にコネクタ１ｆに伝達され、逆に、ＰＣＭＣＩＡ用の信号をＥ−ＩＤＥ用の信号に変換するように構成されている。そして、このコネクタ１ｆが、ケース１３’から外部に突出して、ラップトップ型コンピュータ３００’のインタフェースのＰＣＭＣＩＡ型に接続できるようになっている。
【０２２８】
従って、ユーザの要望に応じて、一仕様の光学的記憶装置をケースのみを替えることにより、多数の上位装置への接続を可能にする効果を得ることができる。
〔他のインタフェースの例〕
図３５（ａ），（ｂ）は第二実施例光学的記憶装置のユニット構成図を示している。図３５（ａ）において、図１等で説明してきた光磁気ディスク装置１をさらにケース（収容容器）３１１に収めて、２種類のＳＣＳＩ用コネクタ３１２ａとＥ−ＩＤＥ用コネクタ３１２ｂをケース３１１の外部に突出させたものである。
【０２２９】
スライド板３１４は、２種類のコネクタのうち使用する一方をオープンとし、使用しない他方をクローズするものである。そして、スライド板３１４の両側に細長いピン３１３を設け、図において上下に設けられたコネクタ間を移動するように構成されている。尚、上のコネクタを使用したい時はスライド板３１４を上の方に移動させ、図示しないねじ又はピン等で固定する。
【０２３０】
図３５（ｂ）において、ＳＣＳＩ用コネクタ３１２ａとＥ−ＩＤＥ用コネクタ３１２ｂは、光磁気ディスク装置１のＥ−ＩＤＥ用コネクタ１ａの信号を導く信号線を２つに分割して、一方はそのままＥ−ＩＤＥ用とし、他方はＭＰＵ及びＲＯＭ−ＢＵＦＦＥＲ等のＩＣチップ３３１に接続するようにして、Ｅ−ＩＤＥ用の信号をＳＣＳＩ用に変換し、逆に、ＳＣＳＩ用の信号をＥ−ＩＤＥ用の信号に変換するように構成されている。
【０２３１】
また、ケースや光学的記憶装置のインタフェース用のコネクタの種類は、ＳＣＳＩ用、Ｅ−ＩＤＥ用の他、ＰＣＭＣＩＡ用のコネクタ等、ユーザの使い勝手や希望に併せて選択的に光磁気ディスク装置に予め取付けることができる。
【０２３２】
従って、一仕様の光学的記憶装置をケースのみを替えることにより、多数種類のパーソナルコンピュータ等の上位装置との接続性を向上させることができる。
【０２３３】
図３６（ａ），（ｂ）は、第三実施例光学的記憶装置のユニット構成図である。光磁気ディスク装置１は、Ｅ−ＩＤＥ用コネクタ１ａを有している。この光磁気ディスク装置１をＥ−ＩＤＥ用以外の他のＳＣＳＩ用コネクタ３４２やＰＣＭＣＩＡ用のコネクタ３４３アダブタ３４５を有するケース３４１に差し込むことで、ケース３４１の内部にある図示しない変換用コネクタに接続される。
【０２３４】
そして、変換用コネクタに連結された変換回路であるＭＰＵ及びＲＯＭ−ＢＵＦＦＥＲ等を収容するＩＣ３４６は、Ｅ−ＩＤＥ用の信号をＳＣＳＩ用の信号に、もしくはＳＣＳＩ用の信号をＥ−ＩＤＥ用の信号に変換してＳＣＳＩ用コネクタを介してパーソナルコンピュータの本体３００やラップトップ型コンピュータ３００’等の上位装置に接続可能にしている。
【０２３５】
尚、前述してきたインタフェースの信号変換は、ＲＯＭ−ＢＵＦＦＥＲに格納されたＥ−ＩＤＥ用の信号内容及び端子番号とＳＣＳＩ用の信号内容及び端子番号との対応関係のデータにより、両者の信号をそれぞれ対応させて変換することにより行なわれるものである。また、インタフェース用のコネクタの信号内容及び端子番号は一般的に公知であるものを使用する。
【０２３６】
簡単な変換例を示す。例えば、１ピンは、Ｅ−ＩＤＥ型においてＲＥＳＥＴを示し、ＰＣＭＣＩＡ型においてＧＲＯＵＮＤを示し、ＳＣＳＩ型においてＧＲＯＵＮＤを示す。従って、それぞれピン番号により情報が異なっているため、ＧＲＯＵＮＤを伝達する際は、Ｅ−ＩＤＥ型の２ピンの信号をＰＣＭＣＩＡ型の１ピンやＳＣＳＩ型の１ピンに伝達するように変換することになる。
【０２３７】
図３７は、第四実施例光学的記憶装置のユニット構成図である。本実施例では、２台の記憶装置のケース３１５、３１７を重ねて配置した時に、ケース３１５、３１７の両者が対面する位置に、互いに接続可能なコネクタ３１６、３１８を設けておく。
【０２３８】
従って、２台の記憶装置を上下方向に重ねるだけで、ケーブルを介在させることなく、またケーブルを引き回すことなく、コネクタ接続が可能になる。尚、本実施例では、光学的記憶装置を例にしているが、接続する両者のインタフェース用コネクタを同一にすることで、例えばハードディスク装置と光磁気ディスク装置間での接続が可能になり、両者間のデータの直接のやり取りが可能になる。
【０２３９】
また、光学的記憶装置以外のハードディスク装置とフロッピディスク装置間等への応用も可能である。
【０２４０】
また、上下方向のみでなく、左右方向にコネクタを露出させることで、左右間でのコネクタ接続も可能になる。さらに、本実施例では、装置の上面又は下面にコネクタを設けているが、コネクタを上下両面に設けて、２台以上の複数台を接続することも可能である。
【０２４１】
【発明の効果】
光学的記憶装置において、光学的記億媒体が収容されたカートリッジが挿入されるカートリッジホルダと、光学的記憶媒体を回転駆動させるターンテーブルと、スライド部を有し、ターンテーブルを保持する金属板とからなるターンテーブルユニットと、傾斜面を有するガイドが形成されたロード板を備え、ロード板がスライドすることでスライド部がガイドの傾斜面をスライドしてターンテーブルを上昇／下降させるロード・アンロード機構と、カートリッジホルダが下面側に搭載され、カートリッジホルダの上面側に、スライド部とガイドが係合するようにターンテーブルユニットとロード・アンロード機構が搭載されるドライブベースとを備えてなることを特徴とし、従って、カートリッジホルダ収容部の上面側のドライブベースの高さをターンテーブルユニットのロード／アンロードの為の機構の高さのみに押さえることができ、装置の前面を極力薄型化することができ、装置の高さをカートリッジの厚さに極力近づけることが可能になる。ゆえに、上位システムの約１７ｍｍ高さのユニットに挿入して内蔵型光学的記憶装置として使用することが可能になる。
【０２４２】
また、ターンテーブルを保持する部材の厚さを極力薄型化し、ターンテーブルユニットの全体の高さをターンテーブルのみの高さに近づけることで、ターンテーブルユニットの全体の上昇量を抑えて、ドライブベースのターンテーブルユニット収納部の高さを薄型化することを可能にし、装置の小型化及び薄型化を図ることができる。
【０２４３】
また、ターンテーブルユニットの金属板は、スライド部がプレス技術により一体的に形成されてなることを特徴とし、従って、スライド部を保持するための複雑な保持部材を必要とすることなく、装置厚さ方向を極力薄型化することができるとともに、小型化及び軽量化することができる。また、ターンテーブルユニット上昇量の軽減及びターンテーブルユニットが保持する部材の重さを極力軽量化を図ることでロード・アンロード機構の駆動トルク（イジェクトモータの駆動トルク）の軽減を図ることが可能になる。さらに、複雑な形状をプレス技術を用いることで単純に成形することができ、部品点数及び工数を削減してコストダウンを図ることが可能になる。
【０２４４】
さらに、金属板に、ターンテーブルを回転駆動させる信号線を導くフレキシブルプリント配線シートが少なくとも搭載されてなることを特徴とする。さらに、前記フレキシブルプリント配線シートに、光ディスクカートリッジに設定されたライトプロテクトを検出するセンサ、もしくは、光ディスクカートリッジの挿入を検出するカートリッジインセンサが設けられていることを特徴とする。
【０２４５】
従って、ターンテーブルユニットが保持する部材の厚さを極力薄型化し、ターンテーブルユニットの全体の高さをターンテーブルのみの高さに近づけることで、ターンテーブルユニットの全体の上昇量を抑えて、ドライブベースのターンテーブルユニット収納部を薄型化でき、装置の薄型化を図ることができる。また、ターンテーブルユニット上昇量の軽減及びターンテーブルユニットが保持する部材の重さを極力軽量化を図ることでロード・アンロード機構の駆動トルク（イジェクトモータの駆動トルク）の軽減を図ることが可能になる。
【０２４６】
本発明は、以上詳述したように、薄型、小型でかつ軽量、組立作業性を大幅に改善したコンパクトな光学的記憶装置を提供できる。
【０２４７】
また、薄型化、小型化、部品削減を行なってもデータ記憶装置としての能力を低下させることなく、信頼性を確保するとともにさらに向上させた光学的記憶装置を提供できる。
【０２４８】
ゆえに、本発明は、装置の薄型化、小型化及び軽量化を可能にしたので、携帯用の薄型のラップトップ型コンピュータ等に搭載可能な光学的記憶装置を提供できる。さらに、本発明はコンピュータシステムの１インチ以下、約１７ｍｍの装置スロットに装着することができる光学的記憶装置を提供できる。
【０２４９】
また、本発明は、ドライブベースの高さを光ディスクカートリッジの厚さ（ＩＳＯ規格３．５インチ光ディスクカートリッジ準拠・６．０±０．２ｍｍ）に極力近づけた光学的記憶装置を提供できる。
【０２５０】
従って、本発明は、多数の上位装置に搭載可能若しくは接続可能にしたので、光学的記憶装置の利用形態を多目的分野に拡大することが可能になり、光学的記憶装置の汎用性を向上させることが可能になる。
【図面の簡単な説明】
【図１】光学的記憶装置の表面側外観斜視図である。
【図２】光学的記憶装置の背面側外観斜視図である。
【図３】光学的記憶装置の表面側分解斜視図である。
【図４】光学的記憶装置の背面側分解斜視図である。
【図５】プリント基板の拡大図である。
【図６】光学的記憶装置の背面側要部概略図である。
【図７】被覆カバーの一実施例な構成概略図である。（Ａ）構成図，（Ｂ）動作説明図（その１），（Ｃ）動作説明図（その２）
【図８】被覆カバーの他の実施例な構成概略図である。（Ａ）構成図，（Ｂ）動作説明図
【図９】固定光学ユニットの拡大図である。（ａ）光学部品の配置状態を示す図，（ｂ）ヘッドベースの状態を示す図
【図１０】固定光学ユニットの光学部品の配置図である。
【図１１】固定光学ユニット内の光路の説明図である。
【図１２】サーボユニットの説明図である。（Ａ）複合レンズの外観斜視図，（Ｂ）複合レンズの平面図，（Ｃ）動作説明図
【図１３】ＢＲプリズムの製造方法の説明図である。
【図１４】ＢＷプリズムの製造方法の説明図である。
【図１５】対物レンズの拡大図である。（ａ）  斜視図，（ｂ）  断面図
【図１６】レンズキャリッジの拡大図である。（ａ）  上拡大図，（ｂ）  横拡大図，（ｃ）  断面拡大図
【図１７】レンズアクチュエータの拡大斜視図である。
【図１８】フォーカスコイルとトラックコイルの配置図である。
【図１９】ワイヤ部の構成によるダンピング効果説明図である。
（ａ）  ダンピング部材無しの場合
（ｂ）  ダンピング部材有りの場合
【図２０】制振部材のダンピング効果説明図である。
（ａ）  熱硬化性接着剤の場合
（ｂ）  非完全硬化性接着剤の場合
【図２１】ターンテーブルユニットの拡大図である。
【図２２】ターンテーブルユニットとロード板の拡大図である。
【図２３】光学的記憶装置の装置状態を示す図である。
（光ディスクのロード時）
（ａ）  装置全体図，（ｂ）  要部拡大図
【図２４】光学的記憶装置の装置状態を示す図である。
（光ディスクのアンロード時）
（ａ）  装置全体図，（ｂ）  要部拡大図
【図２５】カートリッジホルダの拡大図である。
【図２６】カートリッジホルダの動作説明図（その１）である。
【図２７】カートリッジホルダの動作説明図（その２）である。
【図２８】ローラーの構成概略図である。
【図２９】固定光学ユニットのＦＰＣの拡大図である。
（ａ）表面側，（ｂ）背面側，（ｃ）折り曲げ時
【図３０】他の実施例のレンズキャリッジの拡大図である。
【図３１】システム構成図である。
【図３２】システムの内部構成概略図である。
【図３３】ラップトップ型コンピュータシステムの構成図である。
【図３４】第一実施例光学的記憶装置のユニット構成図である。
（ａ）外観図，（ｂ）内部構成図，（ｃ）上面図，（ｄ）ブロック図
【図３５】第二実施例光学的記憶装置のユニット構成図である。
（ａ）外観図，（ｂ）ブロック図
【図３６】第三実施例光学的記憶装置のユニット構成図である。
（ａ）外観図，（ｂ）ブロック図
【図３７】第四実施例光学的記憶装置のユニット構成図である。
【符号の説明】
１３  カバー
１０  フロントベゼル
１１  プリント基板
２０  ドライブベース
２４  ロード板
３０  レンズキャリッジ
４０  固定光学ユニット
４０ａ  遮蔽カバー
７１  カートリッジホルダ
２２２  ターンテーブルユニット
【図１】
0003664165.tif 000002
【図２】
0003664165.tif 000003
【図３】
0003664165.tif 000004
【図４】
0003664165.tif 000005
【図５】
0003664165.tif 000006
【図６】
0003664165.tif 000007
【図７】
0003664165.tif 000008
【図８】
0003664165.tif 000009
【図９】
0003664165.tif 000010
【図１０】
0003664165.tif 000011
【図１１】
0003664165.tif 000012
【図１２】
0003664165.tif 000013
【図１３】
0003664165.tif 000014
【図１４】
0003664165.tif 000015
【図１５】
0003664165.tif 000016
【図１６】
0003664165.tif 000017
【図１７】
0003664165.tif 000018
【図１８】
0003664165.tif 000019
【図１９】
0003664165.tif 000020
【図２０】
0003664165.tif 000021
【図２１】
0003664165.tif 000022
【図２２】
0003664165.tif 000023
【図２３】
0003664165.tif 000024
【図２４】
0003664165.tif 000025
【図２５】
0003664165.tif 000026
【図２６】
0003664165.tif 000027
【図２７】
0003664165.tif 000028
【図２８】
0003664165.tif 000029
【図２９】
0003664165.tif 000030
【図３０】
0003664165.tif 000031
【図３１】
0003664165.tif 000032
【図３２】
0003664165.tif 000033
【図３３】
0003664165.tif 000034
【図３４】
0003664165.tif 000035
【図３５】
0003664165.tif 000036
【図３６】
0003664165.tif 000037
【図３７】
0003664165.tif 000038